(57)【要約】  本発明の実施形態は、データ接続確立方法及び端末装置に関する。方法は、アプリケーションプロセッサ（ＡＰ）によって、スイッチオン命令を受信するステップと；ＡＰによって、ネットワーク探索命令を通信プロセッサ（ＣＰ）に送信するステップであって、ネットワーク探索命令は、ネットワークを探索するようＣＰに命令するために使用される、送信するステップと；ＡＰによって、ＣＰにより送信されたＳＩＭカード状態変更情報及びネットワーク状態変更情報を受信するステップと；ＡＰによって、ＳＩＭカード状態変更情報及びネットワーク状態変更情報に基づいて、データ接続確立命令をＣＰに送信するステップであって、データ接続確立命令は、見つけ出したネットワークへのデータ接続を確立するようＣＰに命令するために使用される、送信ステップと；を含む。本発明の実施形態では、ＣＰは、ネットワーク探索命令を事前に受信してネットワークを探索し始め、それによってＰＳが接続される時間を早め、ユーザがデータサービスの確立を待つ時間を短縮する。
2019537854.tif 000002
【特許請求の範囲】
【請求項１】
データ接続確立方法であって、当該方法は、
アプリケーションプロセッサ（ＡＰ）によって、スイッチオン命令を受信するステップと、
前記ＡＰによって、ネットワーク探索命令を通信プロセッサ（ＣＰ）に送信するステップであって、前記ネットワーク探索命令は、ネットワークを探索するよう前記ＣＰに命令するために使用される、送信するステップと、
前記ＡＰによって、前記ＣＰにより送信されたＳＩＭカード状態変更情報及びネットワーク状態変更情報を受信するステップと、
前記ＡＰによって、前記ＳＩＭカード状態変更情報及び前記ネットワーク状態変更情報に基づいて、データ接続確立命令を前記ＣＰに送信するステップであって、前記データ接続確立命令は、見つけ出したネットワークへのデータ接続を確立するよう前記ＣＰに命令するために使用される、送信するステップと、を含む、
方法。
【請求項２】
前記ネットワーク探索命令は、加入者識別モジュール（ＳＩＭ）カードに関する情報に基づいて、前記見つけ出したネットワークにデータサービス（ＰＳ）を登録するよう前記ＣＰに命令するためにさらに使用され、
前記ＡＰによって、前記ＳＩＭカード状態変更情報及び前記ネットワーク状態変更情報に基づいて、データ接続確立命令を前記ＣＰに送信するステップであって、前記データ接続確立命令は、前記見つけ出したネットワークへのデータ接続を確立するよう前記ＣＰに命令するために使用される、送信するステップは、
前記ＡＰによって、前記ＳＩＭカード状態変更情報に基づいて、前記ＳＩＭカードのモバイル国コード（ＭＣＣ）及びモバイルネットワークコード（ＭＮＣ）を判定するステップと、
前記ＡＰによって、前記ネットワーク状態変更情報に基づいて、前記ＣＰが前記ＰＳを成功裏に登録したと判定するステップと、
前記ＡＰによって、前記ＭＣＣ及び前記ＭＮＣに基づいて、前記データ接続確立命令を前記ＣＰに送信するステップであって、前記データ接続確立命令は、前記見つけ出したネットワークへのデータ接続を確立するよう前記ＣＰに命令するために使用される、送信するステップと、を含む、請求項１に記載の方法。
【請求項３】
前記ＡＰによって、ネットワーク探索命令を通信プロセッサ（ＣＰ）に送信した後に、
前記ＡＰによって、前記ＣＰにより送信された無線状態情報を受信するステップであって、該無線状態情報は、前記ＣＰがネットワークを探索し始めたことを示すために使用される、受信するステップをさらに含む、請求項１又は２に記載の方法。
【請求項４】
前記ＡＰによって、前記ＳＩＭカード状態変更情報に基づいて前記ＳＩＭカードのモバイル国コード（ＭＣＣ）及びモバイルネットワークコード（ＭＮＣ）を判定するステップは、
前記ＡＰによって、前記ＳＩＭカード状態変更情報に基づいて、前記ＳＩＭカードに関する前記情報を問い合わせるための命令を前記ＣＰに送信するステップと、
前記ＡＰによって、前記ＣＰにより送信された前記ＳＩＭカードに関する前記情報を受信するステップと、
前記ＡＰによって、前記ＳＩＭカードに関する前記情報から前記ＳＩＭカードの前記ＭＣＣ及び前記ＭＮＣを取得するステップと、を含む、請求項２又は３に記載の方法。
【請求項５】
前記ＡＰによって、前記ネットワーク状態変更情報に基づいて、前記ＣＰの前記ＰＳが接続されていると判定するステップは、
前記ＡＰによって、前記ネットワーク状態変更情報に基づいて、ネットワーク登録情報を問い合わせるための命令を前記ＣＰに送信するステップと、
前記ＡＰによって、前記ＣＰにより返された前記ネットワーク登録情報を受信するステップと、
前記ＡＰによって、前記ネットワーク登録情報に基づいて、前記ＣＰの前記ＰＳが接続されていると判定するステップと、を含む、請求項２又は３に記載の方法。
【請求項６】
当該方法は、
前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップをさらに含み、
前記ＡＰによって、前記ＭＣＣ及び前記ＭＮＣに基づいて前記データ接続確立命令を前記ＣＰに送信するステップは、
前記ＡＰによって、前記ＭＣＣ及び前記ＭＮＣに基づいてアクセスポイント名（ＡＰＮ）を作成するステップであって、それによって前記ＣＰは前記ＡＰＮに基づいて前記見つけ出したネットワークへのデータ接続を確立する、作成するステップを含み、
前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップと、前記ＡＰによって、前記ＭＣＣ及び前記ＭＮＣに基づいて前記ＡＰＮを作成するステップとが、並行して実行される、請求項４又は５に記載の方法。
【請求項７】
データ接続確立方法であって、当該方法は、
通信プロセッサ（ＣＰ）によって、ネットワーク探索命令を受信するステップであって、該ネットワーク探索命令は、ネットワークを探索するようＣＰに命令するために使用される、受信するステップと、
前記ＣＰによって、前記ネットワークを探索するステップと、
前記ＣＰによって、ＳＩＭカード状態変更情報及びネットワーク状態変更情報をアプリケーションプロセッサ（ＡＰ）に送信するステップであって、前記ＳＩＭカード状態変更情報及び前記ネットワーク状態変更情報は、前記ＡＰによって、データ接続確立命令を前記ＣＰに送信するために使用される、送信するステップと、
前記ＣＰによって、見つけ出したネットワークへのデータ接続を確立するステップと、を含む、
方法。
【請求項８】
前記ＣＰが、ネットワークを探索し、且つ前記ＳＩＭカードに関する情報に基づいて前記見つけ出したネットワークにデータサービスを登録した後に、当該方法は、
前記ＣＰによって、無線状態情報を前記ＡＰに送信するステップであって、前記無線状態情報は、前記ＣＰがネットワークを探索し始めたことを示すために使用される、送信するステップをさらに含む、請求項７に記載の方法。
【請求項９】
データ接続確立方法であって、当該方法は、
アプリケーションプロセッサ（ＡＰ）によって、スイッチオン命令を受信するステップと、
前記ＡＰによって、加入者識別モジュール（ＳＩＭ）カードに関する情報から前記ＳＩＭカードのモバイル国コード（ＭＣＣ）及びモバイルネットワークコード（ＭＮＣ）を取得するステップと、
前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップと、
前記ＡＰによって、前記ＭＣＣ及び前記ＭＮＣに基づいて、アクセスポイント名（ＡＰＮ）を作成するステップであって、前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップと、前記ＡＰによって、前記ＭＣＣ及び前記ＭＮＣに基づいて前記ＡＰＮを作成するステップとが、並行して実行される、作成するステップと、
前記ＡＰによって、データ処理確立命令を通信プロセッサ（ＣＰ）に送信するステップであって、それによって前記ＣＰは前記ＡＰＮに基づいて見つけ出したネットワークへのデータ接続を確立する、送信するステップと、を含む、
方法。
【請求項１０】
アプリケーションプロセッサ（ＡＰ）によって、スイッチオン命令を受信するステップの後に、
前記ＡＰによって、ネットワーク探索命令を前記ＣＰに送信するステップであって、前記ネットワーク探索命令は、前記ネットワークを探索するようＣＰに命令するために使用される、送信するステップと、
前記ＡＰによって、前記ＣＰにより送信されたＳＩＭカード状態変更情報及びネットワーク状態変更情報を受信するステップと、をさらに含み、
前記ＡＰによって、加入者識別モジュール（ＳＩＭ）カードに関する情報から前記ＳＩＭカードのモバイル国コード（ＭＣＣ）及びモバイルネットワークコード（ＭＮＣ）を取得するステップは、
前記ＡＰによって、前記ＳＩＭカード状態変更情報に基づいて、前記ＳＩＭカードに関する前記情報を問い合わせるための命令を前記ＣＰに送信するステップと、
前記ＡＰによって、前記ＣＰにより送信された前記ＳＩＭカードに関する前記情報を受信するステップと、
前記ＡＰによって、前記ＳＩＭカードに関する前記情報から前記ＳＩＭカードの前記ＭＣＣ及び前記ＭＮＣを取得するステップと、を含み、
前記ＡＰによって、データ接続確立命令を前記ＣＰに送信するステップは、
前記ＡＰが、前記ネットワーク状態変更情報に基づいて、前記ＣＰがデータサービス（ＰＳ）を成功裏に登録したと判定した後に、前記ＡＰによって、前記データ接続確立命令を前記ＣＰに送信するステップを含む、請求項９に記載の方法。
【請求項１１】
アプリケーションプロセッサ（ＡＰ）及び通信プロセッサ（ＣＰ）を含む端末装置であって、
前記ＡＰは、通信バスを使用することにより前記ＣＰに接続され、
前記ＡＰは、スイッチオン命令を受信するように設定され、
前記ＡＰは、ネットワーク探索命令を前記ＣＰに送信するようにさらに設定され、
前記ＣＰは、前記ネットワーク探索命令に基づいてネットワークを探索するように設定され、
前記ＡＰは、前記ＣＰにより送信されたＳＩＭカード状態変更情報及びネットワーク状態変更情報を受信するようにさらに設定され、
前記ＡＰは、前記ＳＩＭカード状態変更情報及び前記ネットワーク状態変更情報に基づいて、データ接続確立命令を前記ＣＰに送信するようにさらに設定され、
前記ＣＰは、見つけ出したネットワークへのデータ接続を確立するように設定される、
端末装置。
【請求項１２】
前記ＣＰは、前記ネットワーク探索命令及び加入者識別モジュール（ＳＩＭ）カードに関する情報に基づいて、前記見つけ出したネットワークにデータサービス（ＰＳ）を登録するようにさらに設定され、
前記ＡＰは、前記ＳＩＭカード状態変更情報に基づいて、前記ＳＩＭカードのモバイル国コード（ＭＣＣ）及びモバイルネットワークコード（ＭＮＣ）を判定し、前記ネットワーク状態変更情報に基づいて、前記ＣＰが前記ＰＳを成功裏に登録したと判定し、且つ前記ＭＣＣ及び前記ＭＮＣに基づいて、前記データ接続確立命令を前記ＣＰに送信するように特に設定され、
前記ＣＰは、前記データ接続確立命令に基づいて、前記見つけ出したネットワークへのデータ接続を確立するように特に設定される、請求項１１に記載の端末装置。
【請求項１３】
前記ＡＰは、前記ＣＰにより送信された無線状態情報を受信するようにさらに設定され、該無線状態情報は、前記ＣＰがネットワークを探索し始めたことを示すために使用される、請求項１１又は１２に記載の端末装置。
【請求項１４】
前記ＡＰは、前記ＳＩＭカード状態変更情報に基づいて、前記ＳＩＭカードに関する前記情報を問い合わせるための命令を前記ＣＰに送信し、前記ＣＰにより送信された前記ＳＩＭカードに関する前記情報を受信し、且つ前記ＳＩＭカードに関する前記情報から前記ＳＩＭカードの前記ＭＣＣ及び前記ＭＮＣを取得するように特に設定される、請求項１２又は１３に記載の端末装置。
【請求項１５】
前記ＡＰは、前記ネットワーク状態変更情報に基づいて、ネットワーク登録情報を問い合わせるための命令を前記ＣＰに送信し、前記ＣＰにより返された前記ネットワーク登録情報を受信し、且つ前記ネットワーク登録情報に基づいて、前記ＣＰの前記ＰＳが接続されていると判定するように特に設定される、請求項１２又は１３に記載の端末装置。
【請求項１６】
前記ＡＰは、前記ＳＩＭカードに関する前記情報から、前記ＳＩＭカードのシリアル番号、現地の電話番号、音声メールボックス識別子、呼転送識別子、及びオペレータ名情報を取得するようにさらに設定され、
前記ＡＰは、前記ＭＣＣ及び前記ＭＮＣに基づいてアクセスポイント名（ＡＰＮ）を作成するように特に設定され、それによって前記ＣＰは、前記ＡＰＮに基づいて前記見つけ出したネットワークへのデータ接続を確立し、ここで、前記ＡＰによって、前記ＳＩＭカードに関する前記情報から前記ＳＩＭカードのシリアル番号、現地の電話番号、音声メールボックス識別子、呼転送識別子、及びオペレータ名情報を取得することと、前記ＡＰによって、前記ＭＣＣ及び前記ＭＮＣに基づいて前記ＡＰＮを作成することとが、並行して実行される、請求項１４又は１５に記載の端末装置。
【請求項１７】
アプリケーションプロセッサ（ＡＰ）及び通信プロセッサ（ＣＰ）を含む端末装置であって、
前記ＡＰは、通信バスを使用することにより前記ＣＰに接続され、
前記ＣＰは、ネットワーク探索命令を受信するように設定され、
前記ＣＰは、前記ネットワーク探索命令に基づいてネットワークを探索するようにさらに設定され、
前記ＣＰは、ＳＩＭカード状態変更情報及びネットワーク状態変更情報を前記ＡＰに送信するようにさらに設定され、
前記ＡＰは、前記ＳＩＭカード状態変更情報及び前記ネットワーク状態変更情報に基づいて、データ接続確立命令を前記ＣＰに送信するように設定され、
前記ＣＰは、前記データ接続確立命令に基づいて、見つけ出したネットワークへのデータ接続を確立するようにさらに設定される、
端末装置。
【請求項１８】
前記ＣＰがネットワークを探索した後に、前記ＣＰは、無線状態情報を前記ＡＰに送信するようにさらに設定され、前記無線状態情報は、前記ＣＰがネットワークを探索し始めたことを示すために使用される、請求項１６に記載の端末装置。
【請求項１９】
アプリケーションプロセッサ（ＡＰ）及び通信プロセッサ（ＣＰ）を含む端末装置であって、
前記ＡＰは、通信バスを使用することにより前記ＣＰに接続され、
前記ＡＰは、スイッチオン命令を受信するように設定され、
前記ＡＰは、加入者識別モジュール（ＳＩＭ）カードに関する情報から前記ＳＩＭカードのモバイル国コード（ＭＣＣ）及びモバイルネットワークコード（ＭＮＣ）を取得するようにさらに設定され、
前記ＡＰは、前記ＳＩＭカードに関する前記情報から、前記ＳＩＭカードのシリアル番号、現地の電話番号、音声メールボックス識別子、呼転送識別子、及びオペレータ名情報を取得するようにさらに設定され、
前記ＡＰは、前記ＭＣＣ及び前記ＭＮＣに基づいて、アクセスポイント名（ＡＰＮ）を作成するようにさらに設定され、ここで、前記ＡＰによって、前記ＳＩＭカードに関する前記情報から、前記ＳＩＭカードのシリアル番号、現地の電話番号、音声メールボックス識別子、呼転送識別子、及びオペレータ名情報を取得することと、前記ＡＰによって、前記ＭＣＣ及び前記ＭＮＣに基づいて前記ＡＰＮを作成こととが、並行して実行され、
前記ＡＰは、データ接続確立命令を前記ＣＰに送信するようにさらに設定され、それによって前記ＣＰは、前記ＡＰＮに基づいて見つけ出したネットワークへのデータ接続を確立する、
端末装置。
【請求項２０】
前記アプリケーションプロセッサ（ＡＰ）が前記スイッチオン命令を受信した後に、前記ＡＰは、ネットワーク探索命令を前記ＣＰに送信することであって、前記ネットワーク探索命令は、ネットワークを探索するよう前記ＣＰに命令するために使用される、送信することと、且つ前記ＣＰにより送信されたＳＩＭカード状態変更情報及びネットワーク状態変更情報を受信することとを行うようにさらに設定され、
前記ＡＰは、前記ＳＩＭカード状態変更情報に基づいて、前記ＳＩＭカードに関する前記情報を問い合わせるための命令を前記ＣＰに送信し、前記ＡＰによって、前記ＣＰにより送信された前記ＳＩＭカードに関する前記情報を受信し、且つ前記ＡＰによって、前記ＳＩＭカードに関する前記情報から前記ＳＩＭカードの前記ＭＣＣ及び前記ＭＮＣを取得するように特に設定され、
前記ＡＰは、前記ネットワーク状態変更情報に基づいて、前記ＣＰがデータサービス（ＰＳ）を成功裏に登録したと判定した後に、前記データ接続確立命令を前記ＣＰに送信するように特に設定される、請求項１９に記載の端末装置。
【発明の詳細な説明】
【技術分野】
【０００１】
本出願は、２０１６年９月２７日に中華人民共和国の国家知的所有権庁に提出された、“METHOD  FOR  PERFORMING  POWER-ON  AFTER  SWITCH-ON  TO  USE  DATA  SERVICE  AND  MOBILE  TERMINAL”という表題の中国特許出願第２０１６１０８５７１２０．２号について優先権を主張するものであり、この文献は、その全体が参照により本明細書に組み込まれる。
【０００２】
本発明は、通信技術の分野に関し、具体的には、データ接続確立方法及び端末装置に関する。
【背景技術】
【０００３】
現在、携帯電話及びタブレット型コンピュータ等のモバイル端末装置は、人々の生活において益々重要な役割を果たしている。人々がこれらのモバイル装置を使用することによって働き、楽しむ一方で、例えば、スイッチオン（switch-on）後にネットワークを迅速に見つけ、データサービスを使用するためのユーザエクスペリエンスに対してより高い要求がなされている。
【０００４】
スマートフォン等の端末装置は、通常、アプリケーションプロセッサ（ＡＰ（Application  Processor））と通信プロセッサ（ＣＰ（Communication  Processor））とを含むアーキテクチャに基づいている。ＡＰはユーザとの対話を実施し、ＡＰは、ＳＩＭカードのデータ及びネットワークのデータを読み出し、データをユーザに表示するように設定される。さらに、ＡＰは、ユーザの要求をＳＩＭカード又はネットワークに転送する。ＣＰは、加入者識別モジュール（ＳＩＭ（Subscriber  Identity  Module））カード及びネットワークとの対話を実施する。
【０００５】
従来技術では、各スイッチオン中に、ＣＰはＡＰの起動を待つ必要がある。また、ＡＰがＣＰから送信されたＳＩＭカードの状態変更、無線状態情報、及びネットワーク状態変更情報を受信した後に、ＡＰは、無線インターフェイスレイヤ（ＲＩＬ（Radio  Interface  Layer））を使用することによりネットワーク探索コマンドをＣＰに送信する。ＣＰは、ネットワーク探索コマンドを受信し、ネットワークを探索し始め。ＳＩＭカード状態変更情報及びネットワーク状態変更情報はそれぞれ、ＡＰが、ＳＩＭカードに関する情報を問い合わせるための命令及びネットワーク登録情報を問い合わせるための命令をＣＰに送信できることを示すために使用される。無線状態情報は、ＣＰがネットワーク探索命令を受信していないことを示す。さらに、従来技術では、ＡＰは、ＳＩＭカードに関する全ての情報の読出しが完了した後に、ＳＩＭカードのモバイル国コード（ＭＣＣ（Mobile  Country  Code））及びモバイルネットワークコード（ＭＮＣ（Mobile  Network  Code））に基づいて、アクセスポイント名（ＡＰＮ（Access  Point  Name））を作成する必要があり、それによってＣＰは、ＡＰＮに基づいてネットワークへのデータ接続を形成する。異なるＳＩＭカードの異なる読出し速度が複数のカードを読み出すための時間の間に比較的大きな差を生じさせるので、ＡＰは、ＳＩＭカードに関する情報の読出しを完了した後にＡＰＮを作成する必要があり、そしてＡＰは、ＣＰが関連情報を送信した後に、ネットワーク探索命令をＣＰに送信する必要がある。その結果、ユーザによるデータ接続の確立を待つ時間が比較的長くなり、ユーザ中心のエクスペリエンス要件を満たすことができない。
【０００６】
従って、端末装置のスイッチオン後にデータ接続を確立するための現在のメカニズムは、ユーザにより迅速でより良いエクスペリエンスを提供するために最適化する必要がある。
【発明の概要】
【０００７】
本発明の実施形態は、データ接続を確立するための時間が比較的長いという従来技術の問題を解決するためのデータ接続確立方法及び端末装置に関する。
【０００８】
第１の態様によれば、本発明の一実施形態はデータ接続確立方法を提供する。方法は、アプリケーションプロセッサ（ＡＰ）によって、スイッチオン（switch-on）命令を受信するステップと；ＡＰによって、ネットワーク探索命令を通信プロセッサ（ＣＰ）に送信するステップであって、ネットワーク探索命令は、ネットワークを探索するようＣＰに命令するために使用される、受信するステップと：ＡＰによって、ＣＰにより送信されたＳＩＭカード状態変更情報及びネットワーク状態変更情報を受信するステップと；ＡＰによって、ＳＩＭカード状態変更情報及びネットワーク状態変更情報に基づいて、データ接続確立命令をＣＰに送信するステップであって、データ接続確立命令は、見つけ出したネットワークへのデータ接続を確立するようＣＰに命令するために使用される、送信するステップと；を含む。
【０００９】
本発明のこの実施形態では、ＣＰはネットワーク探索命令を事前に受信してネットワークを探索し始め、それによってデータサービス（ＰＳ）が成功裏に登録される時間を早め、ユーザがデータサービスの確立を待つ時間を短縮する。
【００１０】
ＡＰがネットワーク探索命令をＣＰに送信した後に、ＡＰは、ＣＰにより送信されたＳＩＭカード状態変更情報及びネットワーク状態変更情報を受信することに留意されたい。ＡＰがネットワーク探索命令をＣＰに送信する時間が早められ、ＰＳが接続される時間を早める。ＰＳを成功裏に登録することは、ＰＳが接続されるとも呼ばれ得る。
【００１１】
可能な実施態様では、ネットワーク探索命令は、加入者識別モジュール（ＳＩＭ）カードに関する情報に基づいて、見つけ出したネットワークにデータサービス（ＰＳ）を登録するようＣＰに命令するためにさらに使用され、ＰＳが成功裏に登録されると、ＣＰのＰＳが接続され（attached）；ＡＰによって、ＳＩＭカード状態変更情報及びネットワーク状態変更情報に基づいて、データ接続確立命令をＣＰに送信するステップであって、データ接続確立命令は、見つけ出したネットワークへのデータ接続を確立するようＣＰに命令するために使用される、送信するステップは、ＡＰによって、ＳＩＭカード状態変更情報に基づいて、ＳＩＭカードのモバイル国コード（ＭＣＣ）及びモバイルネットワークコード（ＭＮＣ）を判定するステップと；ＡＰによって、ネットワーク状態変更情報に基づいて、ＣＰのＰＳが接続されていると判定するステップと；ＡＰによって、ＭＣＣ及びＭＮＣに基づいて、データ接続確立命令をＣＰに送信するステップであって、データ接続確立命令は、見つけ出したネットワークへのデータ接続を確立するようＣＰに命令するために使用される、送信するステップと；を含む。
【００１２】
本発明のこの実施形態では、ＳＩＭカードの読出し速度が最適化され、それによってデータ接続を形成するための時間を短縮し、全体としてユーザがデータサービスの確立を待つ時間を短縮する。
【００１３】
可能な実施態様では、ＡＰによって、ネットワーク探索命令を通信プロセッサ（ＣＰ）に送信した後に、方法は、ＡＰによって、ＣＰにより送信された無線状態情報を受信するステップであって、無線状態情報は、ＣＰがネットワークを探索し始めたことを示すために使用される、受信するステップをさらに含む。
【００１４】
本発明のこの実施形態では、ＣＰがネットワーク探索命令を事前に受信するので、ネットワークを探索した後に、ＣＰは、無線状態情報を、ＣＰがネットワークを探索し始めたものとして設定する。ＡＰは、無線状態情報を受信し、もはやネットワーク探索命令をＣＰに送信しない。
【００１５】
可能な実施態様では、ＡＰによって、ＳＩＭカード状態変更情報に基づいて、ＳＩＭカードのモバイル国コード（ＭＣＣ）及びモバイルネットワークコード（ＭＮＣ）を判定するステップは、ＡＰによって、ＳＩＭカード状態変更情報に基づいて、ＳＩＭカードに関する情報を問い合わせるための命令をＣＰに送信するステップと；ＡＰによって、ＣＰにより送信されたＳＩＭカードに関する情報を受信するステップと；ＡＰによって、ＳＩＭカードに関する情報からＳＩＭカードのＭＣＣ及びＭＮＣを取得するステップと；を含む。
【００１６】
可能な実施態様では、ＡＰによって、ネットワーク状態変更情報に基づいて、ＣＰのＰＳが接続されていると判定するステップは、ＡＰによって、ネットワーク状態変更情報に基づいて、ネットワーク登録情報を問い合わせるため命令をＣＰに送信するステップと；ＡＰによって、ＣＰにより返されたネットワーク登録情報を受信するステップと；ＡＰによって、ネットワーク登録情報に基づいて、ＣＰのＰＳが接続されていると判定するステップと；を含む。
【００１７】
可能な実施態様では、方法は、ＡＰによって、ＳＩＭカードに関する情報から、ＳＩＭカードのシリアル番号、現地の電話番号、音声メールボックス識別子、呼転送識別子、及びオペレータ名情報を取得するステップをさらに含み；ＡＰによって、ＭＣＣ及びＭＮＣに基づいてデータ接続確立命令をＣＰに送信するステップは、ＡＰによって、ＭＣＣ及びＭＮＣに基づいてアクセスポイント名（ＡＰＮ）を作成するステップであって、それによってＣＰはＡＰＮに基づいて見つけ出したネットワークへのデータ接続を確立する、作成するステップを含み、ＡＰによって、ＳＩＭカードに関する情報から、ＳＩＭカードのシリアル番号、現地の電話番号、音声メールボックス識別子、呼転送識別子、及びオペレータ名情報を取得するステップと、ＡＰによって、ＭＣＣ及びＭＮＣに基づいてＡＰＮを作成するステップとが、並行して実行される。
【００１８】
データ接続の確立中に、ＡＰは、ＭＮＣ及びＭＣＣに基づいて対応するアクセスポイント名（ＡＰＮ）を作成する必要があり、ＣＰは、ＡＰＮに基づいてネットワークへのデータ接続を形成することに留意されたい。従って、ＳＩＭカードに関する情報からＭＣＣ及びＭＮＣを読み出した後に、ＡＰは、ＭＣＣ及びＭＮＣに基づいてＡＰＮを作成することができ、ＡＰは、ＳＩＭカードに関する情報内にあるＳＩＭカードのシリアル番号、現地の電話番号、音声メールボックス識別子、呼転送識別子、及びオペレータ名情報を読み出し、それによってＣＰは、ＡＰＮに基づいてネットワークへのデータ接続を確立する。ＡＰＮは、ＡＰがＳＩＭカードに関する全ての情報の読出しを完了するのを待たずに作成される。従って、ＡＰＮが作成される時間が早められ、ユーザの待ち時間が短縮される。
【００１９】
具体的には、本発明のこの実施形態では、ＡＰがデータ接続確立命令をＣＰに送信することは、２つの条件を満たす必要がある。一方の条件は、ＡＰがＭＣＣ及びＭＮＣに基づいてＡＰＮの作成を完了することである。他方の条件は、ＰＳが接続されているとＡＰが判定することである。本発明のこの実施形態では、ＰＳが接続される時間及びＡＰＮが作成される時間が設計によって早められる。従って、データ接続の作成を待つ時間が短縮され、ユーザエクスペリエンスが改善される。
【００２０】
第２の態様によれば、本発明の一実施形態は別のデータ接続確立方法を提供する。方法は、通信プロセッサ（ＣＰ）によって、ネットワーク探索命令を受信するステップであって、ネットワーク探索命令は、ネットワークを探索するようＣＰに命令するために使用される、受信するステップと；ＣＰによって、ネットワークを探索するステップと；ＣＰによって、ＳＩＭカード状態変更情報及びネットワーク状態変更情報をアプリケーションプロセッサ（ＡＰ）に送信するステップであって、ＳＩＭカード状態変更情報及びネットワーク状態変更情報は、ＡＰによって、データ接続確立命令をＣＰに送信するために使用される、送信するステップと;ＣＰによって、見つけ出したネットワークへのデータ接続を確立するステップと；とを含む。
【００２１】
可能な実施態様では、ＣＰが、ネットワークを探索し、且つＳＩＭカードに関する情報に基づいて見つけ出したネットワークにデータサービスを登録した後に、方法は、ＣＰによって、無線状態情報をＡＰに送信するステップであって、無線状態情報は、ＣＰがネットワークを探索し始めたことを示すために使用される、送信するステップをさらに含む。
【００２２】
第３の態様によれば、本発明の一実施形態はデータ接続確立方法を提供する。方法は、アプリケーションプロセッサ（ＡＰ）によって、スイッチオン命令を受信するステップと；ＡＰによって、ＳＩＭカードに関する情報から、加入者識別モジュール（ＳＩＭ）カードのモバイル国コード（ＭＣＣ）及びモバイルネットワークコード（ＭＮＣ）を取得するステップと；ＡＰによって、ＳＩＭカードに関する情報から、ＳＩＭカードのシリアル番号、現地の電話番号、音声メールボックス識別子、呼転送識別子、及びオペレータ名情報を取得するステップと；ＡＰによって、ＭＣＣ及びＭＮＣに基づいてアクセスポイント名（ＡＰＮ）を作成するステップであって、ＡＰによって、ＳＩＭカードに関する情報から、ＳＩＭカードのシリアル番号、現地の電話番号、音声メールボックス識別子、呼転送識別子、及びオペレータ名情報を取得するステップと、ＡＰによって、ＭＣＣ及びＭＮＣに基づいてＡＰＮを作成するステップとが、並行して実行される、作成するステップと；ＡＰによって、データ接続確立命令を通信プロセッサ（ＣＰ）に送信するステップであって、それによってＣＰは、ＡＰＮに基づいて見つけ出したネットワークへのデータ接続を確立する、送信するステップと；を含む。
【００２３】
可能な実施態様では、アプリケーションプロセッサ（ＡＰ）によって、スイッチオン命令を受信した後に、方法は、ＡＰによって、ネットワーク探索命令をＣＰに送信するステップであって、ネットワーク探索命令は、ネットワークを探索するようＣＰに命令するために使用される、送信するステップと；ＡＰによって、ＣＰにより送信されたＳＩＭカード状態変更情報及びネットワーク状態変更情報を受信するステップと；をさらに含み、ＡＰによって、ＳＩＭカードに関する情報から加入者識別モジュール（ＳＩＭ）カードのモバイル国コード（ＭＣＣ）及びモバイルネットワークコード（ＭＮＣ）を取得するステップは、ＡＰによって、ＳＩＭカード状態変更情報に基づいて、ＳＩＭカードに関する情報を問い合わせるための命令をＣＰに送信するステップと；ＡＰによって、ＣＰにより送信されたＳＩＭカードに関する情報を受信するステップと；ＡＰによって、ＳＩＭカードに関する情報からＳＩＭカードのＭＣＣ及びＭＮＣを取得するステップと；を含み、ＡＰによって、データ接続確立命令をＣＰに送信するステップは、ＡＰが、ネットワーク状態変更情報に基づいて、ＣＰがデータサービス（ＰＳ）を成功裏に登録したと判定した後に、ＡＰによって、データ接続確立命令をＣＰに送信するステップを含む。
【００２４】
第４の態様によれば、本発明の一実施形態は端末装置を提供する。端末装置は、アプリケーションプロセッサ（ＡＰ）及び通信プロセッサ（ＣＰ）を含み、ＡＰは、通信バスを使用することによりＣＰに接続され；ＡＰは、スイッチオン命令を受信するように設定され；ＡＰは、ネットワーク探索命令をＣＰに送信するようにさらに設定され；ＣＰは、ネットワーク探索命令に基づいてネットワークを探索するように設定され；ＡＰは、ＣＰにより送信されたＳＩＭカード状態変更情報及びネットワーク状態変更情報を受信するようにさらに設定され；ＡＰは、ＳＩＭカード状態変更情報及びネットワーク状態変更情報に基づいて、データ接続確立命令をＣＰに送信するようにさらに設定され；ＣＰは、見つけ出したネットワークへのデータ接続を確立するように設定される。
【００２５】
可能な実施態様では、ＣＰは、ネットワーク探索命令及び加入者識別モジュール（ＳＩＭ）カードに関する情報に基づいて、見つけ出したネットワークにデータサービス（ＰＳ）を登録するようにさらに設定され、ＰＳが成功裏に登録されると、ＣＰのＰＳが接続され；ＡＰは、ＳＩＭカード状態変更情報及びネットワーク状態変更情報に基づいて、データ接続確立命令をＣＰに送信し、ネットワーク状態変更情報に基づいて、ＣＰのＰＳが接続されていると判定し、且つデータ接続確立命令をＣＰに送信するように特に設定され；ＣＰは、データ接続確立命令、ＭＣＣ及びＭＮＣに基づいて、見つけ出したネットワークへのデータ接続を確立するように特に設定される。
【００２６】
可能な実施態様では、ＡＰは、ＣＰにより送信された無線状態情報を受信するようにさらに設定され、無線状態情報は、ＣＰがネットワークを探索し始めたことを示すために使用される。
【００２７】
可能な実施態様では、ＡＰは、ＳＩＭカード状態変更情報に基づいて、ＳＩＭカードに関する情報を問い合わせるための命令をＣＰに送信し、ＣＰにより送信されたＳＩＭカードに関する情報を受信し、且つＳＩＭカードに関する情報からＳＩＭカードのＭＣＣ及びＭＮＣを取得するように特に設定される。
【００２８】
可能な実施態様では、ＡＰは、ネットワーク状態変更情報に基づいて、ネットワーク登録情報を問い合わせるための命令をＣＰに送信し、ＣＰにより返されたネットワーク登録情報を受信し、且つネットワーク登録情報に基づいて、ＣＰのＰＳが接続されていると判定するように特に設定される。
【００２９】
可能な実施態様では、ＡＰは、ＳＩＭカードに関する情報から、ＳＩＭカードのシリアル番号、現地の電話番号、音声メールボックス識別子、呼転送識別子、及びオペレータ名情報を取得するようにさらに設定され；ＡＰは、ＭＣＣ及びＭＮＣに基づいてアクセスポイント名（ＡＰＮ）を作成するように特に設定され、それによってＣＰは、ＡＰＮに基づいて見つけ出したネットワークへのデータ接続を確立し、ここで、ＡＰによって、ＳＩＭカードに関する情報からＳＩＭカードのシリアル番号、現地の電話番号、音声メールボックス識別子、呼転送識別子、及びオペレータ名情報を取得することと、ＡＰによって、ＭＣＣ及びＭＮＣに基づいてＡＰＮを作成することとが、並行して実行される。
【００３０】
第５の態様によれば、本発明の一実施形態は別の端末装置を提供する。端末装置は、アプリケーションプロセッサ（ＡＰ）及び通信プロセッサ（ＣＰ）を含み、ＡＰは、通信バスを使用することによりＣＰに接続され；ＣＰは、ネットワーク探索命令を受信するように設定され；ＣＰは、ネットワーク探索命令に基づいてネットワークを探索するようにさらに設定され；ＣＰは、ＳＩＭカード状態変更情報及びネットワーク状態変更情報をＡＰに送信するようにさらに設定され；ＡＰは、ＳＩＭカード状態変更情報及びネットワーク状態変更情報に基づいて、データ接続確立命令をＣＰに送信するように設定され；ＣＰは、データ接続確立命令に基づいて、見つけ出したネットワークへのデータ接続を確立するようにさらに設定される。
【００３１】
可能な実施態様では、ＣＰがネットワークを探索した後に、ＣＰは、無線状態情報をＡＰに送信するようにさらに設定され、無線状態情報は、ＣＰがネットワークを探索し始めたことを示すために使用される。
【００３２】
第６の態様によれば、本発明の一実施形態は別の端末装置を提供する。端末装置は、アプリケーションプロセッサ（ＡＰ）及び通信プロセッサ（ＣＰ）を含み、ＡＰは、通信バスを使用することによりＣＰに接続され；ＡＰは、スイッチオン命令を受信するように設定され；ＡＰは、ＳＩＭカードに関する情報から加入者識別モジュール（ＳＩＭ）カードのモバイル国コード（ＭＣＣ）及びモバイルネットワークコード（ＭＮＣ）を取得するようにさらに設定され；ＡＰは、ＳＩＭカードに関する情報から、ＳＩＭカードのシリアル番号、現地の電話番号、音声メールボックス識別子、呼転送識別子、及びオペレータ名情報を取得するようにさらに設定され；ＡＰは、ＭＣＣ及びＭＮＣに基づいて、アクセスポイント名（ＡＰＮ）を作成するようにさらに設定され、ここで、ＡＰによって、ＳＩＭカードに関する情報から、ＳＩＭカードのシリアル番号、現地の電話番号、音声メールボックス識別子、呼転送識別子、及びオペレータ名情報を取得することと、ＡＰによって、ＭＣＣ及びＭＮＣに基づいてＡＰＮを作成することとが、並行して実行され；ＡＰは、データ接続確立命令をＣＰに送信するようにさらに設定され、それによってＣＰは、ＡＰＮに基づいて見つけ出したネットワークへのデータ接続を確立する。
【００３３】
可能な実施態様では、アプリケーションプロセッサ（ＡＰ）がスイッチオン命令を受信した後に、ＡＰは、ネットワーク探索命令をＣＰに送信することであって、ネットワーク探索命令は、ネットワークを探索するようＣＰに命令するために使用される、送信し、且つＣＰにより送信されたＳＩＭカード状態変更情報及びネットワーク状態変更情報を受信するようにさらに設定され；ＡＰは、ＳＩＭカード状態変更情報に基づいて、ＳＩＭカードに関する情報を問い合わせるための命令をＣＰに送信し；ＡＰによって、ＣＰにより送信されたＳＩＭカードに関する情報を受信し；且つＡＰによって、ＳＩＭカードに関する情報からＳＩＭカードのＭＣＣ及びＭＮＣを取得するように特に設定され；ＡＰは、ネットワーク状態変更情報に基づいて、ＣＰがデータサービス（ＰＳ）を成功裏に登録したと判定した後に、データ接続確立命令をＣＰに送信するように特に設定される。
【００３４】
前述した技術的解決策に基づいて、本発明の実施形態で提供されるデータ接続確立方法及び端末装置によれば、ＣＰは、ネットワーク探索命令を事前に受信してネットワークを探索し始め、それによってＰＳが接続される時間を早め、ユーザがデータサービスの確立を待つ時間を短縮する。また、本発明の実施の形態では、さらに、ＡＰＮが作成される時間が早められる。従って、データ接続を確立するための時間がさらに短縮され、ユーザがデータサービスを使用するための時間が大幅に短縮され、ユーザエクスペリエンスが改善される。
【図面の簡単な説明】
【００３５】
【図１】本発明の一実施形態による端末装置の概略アーキテクチャ図である。
【図２Ａ】データ接続を確立することに関する既存のシグナリング対話図である。
【図２Ｂ】データ接続を確立することに関する既存のシグナリング対話図である。
【図３】本発明の一実施形態によるデータ接続確立方法の概略フローチャートである。
【図４Ａ】本発明の一実施形態による別のデータ接続確立方法及び機器の概略図である。
【図４Ｂ】本発明の一実施形態による別のデータ接続確立方法及び機器の概略図である。
【図５】本発明の一実施形態による、ＣＰによってネットワーク探索手順を開始する概略図である。
【図６】本発明の一実施形態による、データモジュールによってデータ接続を確立することを決定する概略フローチャートである。
【図７】本発明の一実施形態による別の端末装置の概略アーキテクチャ図である。
【発明を実施するための形態】
【００３６】
本発明の実施形態の目的、技術的解決策、及び利点をより明確にするために、以下では、本発明の実施形態の添付図面を参照しながら、本発明の実施形態における技術的解決策について説明する。明らかに、説明する実施形態は、本発明の全ての実施形態というよりもむしろいくつかの実施形態である。本発明の実施形態に基づいて当業者が創造的な努力なしに得る他の全ての実施形態は、本発明の保護範囲内に入るものとする。
【００３７】
本発明の実施形態において説明するネットワークアーキテクチャ及びサービスシナリオは、本発明の実施形態における技術的解決策をより明確に説明することを目的としているが、本発明の実施形態において提供される技術的解決策を限定することを意図するものではない。当業者は、ネットワークアーキテクチャが進化して新しいビジネスシナリオが出現するにつれて、本発明の実施形態において提供される技術的解決策が同様の技術的問題にさらに適用可能であることを知っている可能性がある。
【００３８】
図１は、本発明の一実施形態による端末装置の概略アーキテクチャ図である。図１に示されるように、端末装置は、ＡＰ１００と、ＣＰ２００とを含む。ＡＰ１００は、通信バスを使用することによりＣＰ２００に接続される。ＲＩＬ１１０が、ＡＰ１００とＣＰ２００との間の通信を確立するソフトウェアインターフェイスである。ＲＩＬ１１０は、ＡＰ１００の一部として機能してもよい。あるいはまた、ＲＩＬ１１０は、ＣＰ２００の一部として機能してもよい。さらに、あるいはまた、ＲＩＬ１１０は、独立した部分として機能してもよい。簡単に説明すると、本発明のこの実施形態では、ＲＩＬ１１０は、説明のためにＡＰ１００の一部として使用される。
【００３９】
本発明のこの実施形態で提供される端末装置では、ＣＰは、ネットワーク通信プロトコルスタック全体を実施する。例えば、データ、ネットワーク探索、通話、ショートメッセージサービス、ＳＩＭカード、補助サービス等が全てＣＰ上で具体的に実施され、ＣＰはネットワークとのシグナリング対話を実施する。ＡＰは、ＳＩＭカードに関する情報及びネットワークデータを読み出す機能を完了し、ＳＩＭカードに関する情報及びネットワークデータをユーザに表示する。さらに、ＡＰは、ユーザと対話する機能を実施し、ユーザの要求をネットワーク又はＳＩＭカードに転送する。ＲＩＬは、ＡＰとＣＰとを接続するソフトウェアインターフェイスであり、ＡＰとＣＰとの間の通信を担当し、具体的には、ＡＰによって配信された問合せ要求コマンド又は設定要求コマンド等の要求コマンドをＣＰに送信し、ＣＰの非請求（unsolicited）レポートコマンド又はＡＰの要求コマンドに対する応答をＡＰに返すように設定される。
【００４０】
図２Ａ及び図２Ｂは、データ接続を確立することに関する既存のシグナリング対話図である。図２Ａ及び図２Ｂに示されるように、ＡＰがスイッチオン命令を受信した後に、ステップ２０１において、ＲＩＬが、ＡＰ内の初期化モジュールによって送信され、且つＡＰとＣＰとの間のデータ接続を形成するための命令に基づいて、ＡＰとＣＰとの間のデータ接続を形成する。ステップ２０２：ＣＰは、ＳＩＭカード状態変更情報及び無線状態情報をＡＰに報告する。ステップ２０３：ＣＰはネットワーク状態変更情報をＡＰに報告する。ＳＩＭカード状態変更情報及びネットワーク状態変更情報はそれぞれ、ＡＰが、ＳＩＭカードに関する情報を問い合わせるための命令及びネットワーク登録情報を問い合わせるための命令をＣＰに送信できることを示すために使用される。無線状態情報は、ＣＰがネットワーク探索命令を受信していないことを示す。ステップ２０４：ＡＰが無線状態情報を受信した後に、ＡＰは、ネットワーク探索命令をＣＰに送信する。ステップ２０５：ＣＰはネットワークを探索する。ＡＰは、ＳＩＭカードに関する見つけ出した情報及び見つけ出したネットワーク登録情報を読み出し、ＳＩＭカードに関する情報及びネットワーク登録情報に基づいて、データ接続確立命令をＣＰに送信するかどうかを判定する。具体的には、ステップ２１０において、カードモジュールが、ＳＩＭカードに関する全ての情報を読み出す。ステップ２１１：カードモジュールは、データモジュールがＳＩＭカードのＭＣＣ及びＭＮＣに基づいてデータＡＰＮを作成できることをデータモジュールに通知する。
【００４１】
具体的には、図２Ａ及び図２ＢのＡＰに含まれるモジュールの機能について、図４Ａ及び図４Ｂの説明を参照されたい。ステップ２０６〜ステップ２０９及びステップ２１２〜ステップ２１６について、それぞれ図４Ａ及び図４Ｂのステップ４０６〜ステップ４０９及びステップ４１２〜ステップ４１６の詳細な説明を参照されたい。図４Ａ及び図４Ｂと異なる主要部のステップについて、本発明のこの実施形態の理解を容易にするために、本明細書で最初に説明する。
【００４２】
従来技術では、端末装置は、スイッチオン命令を受信し、それに応じてＡＰ及びＣＰを起動する。起動後に、ＡＰはＲＩＬを使用することによりＣＰへの接続を確立する。ＣＰは、ＲＩＬを使用することによりＳＩＭカード状態変更情報、無線状態情報、及びネットワーク状態変更情報をＡＰに報告する。無線状態情報は、ＣＰがネットワーク探索命令を受信したかどうか（ＣＰがネットワークを探索し始めたかどうか）を示すために使用される。従来技術では、無線状態情報は、ＣＰがネットワークの探索を開始していないことを示す。次に、ＡＰは、ＲＩＬを使用することによりネットワーク探索命令をＣＰに送信し、ＣＰは、ネットワークを探索して登録を実行する。これはステップ２０２〜ステップ２０５に示されている。
【００４３】
本発明の実施形態において提供される端末装置は、スイッチオン命令を受信し、ＲＩＬが起動された後に、ＣＰがＳＩＭカード状態変更情報、無線状態情報、及びネットワーク状態変更情報をＡＰに報告するのを待たずに、ネットワーク探索命令をＣＰに送信する。ＣＰがネットワークを探索して登録を実行するので、ＣＰがネットワークを探索する時間が早められる。可能な例では、ＣＰは複数のネットワークを見つけることができ、ＣＰは、ＳＩＭカードに関する情報に基づいて見つけ出した複数のネットワークの優先順位をアレンジし、且つ登録のために最も高い優先順位を有するネットワークを選択する。
【００４４】
本発明の実施形態において提供される端末装置では、ＣＰがネットワーク探索命令を受信した後に、ＣＰは、ＲＩＬを使用することによりＳＩＭカード状態変更情報、無線状態情報、及びネットワーク状態変更情報をＡＰに報告する。本発明の実施形態では、無線状態情報は、ＣＰがネットワークを探索し始めたことを示す。ＳＩＭカード状態変更情報及びネットワーク状態変更情報は、ＡＰが、ＳＩＭカードに関する情報を問い合わせるための命令及びネットワーク登録情報を問い合わせるための命令をＣＰに送信できることを示すために使用される。ＡＰは、ＳＩＭカードに関する見つけ出した情報及び見つけ出したネットワーク登録情報に基づいて、ＣＰを使用することによりネットワークへのデータ接続を確立するためにデータ接続確立命令をＣＰに送信するかどうかを決定する。具体的には、本発明の実施形態では、ＲＩＬはＡＰの一部として機能する。ＡＰがスイッチオン命令を受信した後に、ＡＰがネットワーク探索命令をＣＰに送信する時間が従来技術の時間と比較して早められることが直感的に知ることができる。
【００４５】
さらに、ＡＰは、ＣＰによって報告されたＳＩＭカード状態変更情報及びネットワーク状態変更情報に基づいて、データ接続確立命令をＣＰに送信し、ＣＰは、データ接続確立命令に基づいて、見つけ出したネットワークへのデータ接続を確立する。
【００４６】
ＣＰがネットワークを探索して登録を実行することは、ＣＰが、ＳＩＭカードに関する情報及び見つけ出したネットワークに関する情報に基づいて、データサービス／パケット交換（ＰＳ（Packet  Switched））及び音声サービス／回線交換（ＣＳ（Circuit  Switched））をネットワークに登録することを示すことに留意されたい。端末装置がネットワーク探索命令を受信してからＰＳ登録を完了するまでの時間は、ＰＳが接続される（attached）時間である。従来技術では、ＡＰがＣＰにより送信されたＳＩＭカード状態変更情報、無線状態情報、及びネットワーク状態変更情報を受信した後に、ＡＰは、ネットワーク探索命令をＣＰに送信する。それとは異なり、本発明の実施形態では、スイッチオン後に、ＣＰは、最初に、ＡＰによって送信されたネットワーク探索命令を受信する。従って、本発明の実施形態において提供される端末装置では、ＣＰがネットワーク探索命令を事前に受信してネットワークを探索し始め、それによってＰＳが接続される時間を早め、ユーザの待ち時間を短縮する。
【００４７】
データ接続が確立されると、ＡＰは、ＭＮＣ及びＭＣＣに基づいて、対応するＡＰＮを作成する必要があり、ＣＰは、ＡＰＮに基づいて、ネットワークへのデータ接続を形成する。従来技術では、例えば、ステップ２１０において、ＳＩＭカードに関する情報の全てのコンテンツを取得した後に、ＡＰはＡＰＮを作成する。しかしながら、本発明の実施形態では、ＡＰは、ＳＩＭカードのＭＣＣ及びＭＮＣを取得した後にＡＰＮを作成することができる。さらに、ＡＰは、ＳＩＭカード内にあるＳＩＭカードのシリアル番号、現地の（local）電話番号、音声メールボックス識別子、呼転送識別子、及びオペレータ名情報を取得する。従来技術では、ＡＰＮは、ＳＩＭカードに関する全ての情報が読み出された後に、ＭＣＣ及びＭＮＣに基づいて作成する必要がある。しかしながら、本発明の実施形態では、ＡＰＮは、ＭＣＣ及びＭＮＣが読み出された後に作成され始める。本発明の実施形態では、ＡＰＮが作成される時間はこの設計に基づいて早められる。可能なテストにおいて、それは、本発明におけるカード読出し最適化設計によって、ＡＰＮが作成される時間が３秒〜４秒だけ早められることを示す。
【００４８】
従って、さらに、本発明の実施形態において提供される端末装置では、ＡＰがＣＰにより送信されたＳＩＭカード状態変更情報及びネットワーク状態変更情報を受信した後に、ＡＰは、ＳＩＭカードに関する情報を問い合わせるための命令及びネットワーク登録情報を問い合わせるための命令をＣＰに送信し、ＣＰは、ＳＩＭカードに関する情報及びネットワーク登録情報をＡＰに返す。ＳＩＭカードに関する情報内のモバイル国コード（ＭＣＣ）及びモバイルネットワークコード（ＭＮＣ）を読み出すときに、ＡＰは、ＳＩＭカードに関する全ての情報を読み出すのを待たずに、ＭＣＣ及びＭＮＣに基づいてＡＰＮを作成し、それによってＣＰは、ＡＰＮに基づいてネットワークへのデータ接続を確立することができる。
【００４９】
従来技術では、ＳＩＭカードに関する情報の読出しが完了した後に、ＰＳが接続されているかどうかを検証していたが、これは本発明の実施形態とは異なることに留意されたい。もっとも、本発明の実施形態では、ＳＩＭカードに関する情報からＭＣＣ及びＭＮＣに関する情報の読出しが完了した後に、ＡＰは、ＭＣＣ及びＭＮＣに基づいてＡＰＮを作成する。さらに、ＡＰは、ＳＩＭカード内にあるＳＩＭカードのシリアル番号、現地の電話番号、音声メールボックス識別子、呼転送識別子、及びオペレータ名情報を読み出す。従って、ＰＳが接続されていると判定された後に、ＣＰは、ＡＰＮに基づいてネットワークへのデータ接続を開始することができる。本発明の実施形態では、ＳＩＭカードの読出し速度が最適化され、それによってＡＰＮが作成される時間が早められる。また、ＡＰは、通常、ＳＩＭカードに関する全ての情報を読み出し、それによりデータ接続を形成するための時間を短縮し、全体としてユーザがデータサービスの確立を待つ時間を短縮する。
【００５０】
本発明の実施形態では、端末装置がスイッチオンされると、ネットワーク探索命令がＣＰに事前に送信され、それによりＰＳが接続される時間が早められる。さらに、ＳＩＭカードの読出し速度が最適化され、それによりＡＰＮが作成される時間が早められるので、ユーザはデータサービスを迅速に使用することができる。本発明は、望ましい応用展望を有しており、携帯電話又はタブレット型コンピュータ等の端末装置に適用することができる。
【００５１】
図３は、本発明の一実施形態によるデータ接続確立方法の概略フローチャートである。方法は、端末装置内のＡＰによって実行される。図３に示されるように、この実施形態で提供される方法は以下のステップを含む。
【００５２】
ステップ３０１：アプリケーションプロセッサ（ＡＰ）は、スイッチオン命令を受信する。
【００５３】
ステップ３０２：ＡＰは、ネットワーク探索命令を通信プロセッサ（ＣＰ）に送信し、ここで、ネットワーク探索命令は、ネットワークを探索するようＣＰに命令するために使用される。
【００５４】
オプションで、ＡＰがネットワーク探索命令を通信プロセッサ（ＣＰ）に送信した後に、方法は、ＡＰによって、ＣＰにより送信された無線状態情報を受信することをさらに含み、ここで無線状態情報は、ＣＰがネットワークを探索し始めたことを示すために使用される。
【００５５】
ステップ３０３：ＡＰは、ＣＰにより送信されたＳＩＭカード状態変更情報及びネットワーク状態変更情報を受信する。
【００５６】
ＳＩＭカード状態変更情報は、ＵＮＳＯＬ＿ＲＥＳＰＯＮＳＥ＿ＳＩＭ＿ＳＴＡＴＵＳ＿ＣＨＡＮＧＥＤであり、その情報は、ＣＰによって要請されずに（in  an  unsolicited  manner）報告されたコマンドワードであり、特定の情報を搬送しない。その情報は、ＡＰがＳＩＭカードに関する情報を問い合わせるための命令をＣＰに送信できることを示す。
【００５７】
ネットワーク状態変更情報は、ＵＮＳＯＬ＿ＲＥＳＰＯＮＳＥ＿ＶＯＩＣＥ＿ＮＥＴＷＯＲＫ＿ＳＴＡＴＥ＿ＣＨＡＮＧＥＤであり、その情報は、ＣＰによって要請されずに報告されたコマンドワードであり、特定の情報を搬送しない。その情報は、ＡＰがネットワーク登録情報を問い合わせるための命令をＣＰに送信できることを示す。
【００５８】
ステップ３０４：ＡＰは、ＳＩＭカード状態変更情報及びネットワーク状態変更情報に基づいて、データ接続確立命令をＣＰに送信し、ここでデータ接続確立命令は、見つけ出したネットワークへのデータ接続を確立するようＣＰに命令するために使用される。
【００５９】
オプションで、ネットワーク探索命令は、加入者識別モジュール（ＳＩＭ）カードに関する情報に基づいて、見つけ出したネットワークにデータサービス（ＰＳ）を登録するようＣＰに命令するためにさらに使用され、ＰＳが成功裏に登録されると、ＣＰのＰＳが接続される。ＡＰが、ＳＩＭカード状態変更情報及びネットワーク状態変更情報に基づいて、データ接続確立命令をＣＰに送信することであって、ここで見つけ出したネットワークへのデータ接続を確立するようＣＰに命令するために使用されるデータ接続確立命令は、ＡＰによって、ＳＩＭカード状態変更情報に基づいてＳＩＭカードのモバイル国コード（ＭＣＣ）及びモバイルネットワークコード（ＭＮＣ）を判定することと；ＡＰによって、ネットワーク状態変更情報に基づいて、ＣＰのＰＳが接続されていると判定することと；ＡＰによって、ＭＣＣ及びＭＮＣに基づいてデータ接続確立命令をＣＰに送信することであって、ここでデータ接続確立命令は、見つけ出したネットワークへのデータ接続を確立するようＣＰに命令するために使用される、送信することと；を含む。
【００６０】
オプションで、ＡＰは、ＳＩＭカード状態変更情報に基づいて、ＳＩＭカードに関する情報を問い合わせるための命令をＣＰに送信する。ＡＰは、ＣＰにより送信されたＳＩＭカードに関する情報を受信する。ＡＰは、ＳＩＭカードに関する情報からＳＩＭカードのＭＣＣ及びＭＮＣを取得する。
【００６１】
オプションで、ＡＰは、ネットワーク状態変更情報に基づいて、ネットワーク登録情報を問い合わせるための命令をＣＰに送信する。ＡＰは、ＣＰにより返されたネットワーク登録情報を受信する。ＡＰは、ネットワーク登録情報に基づいて、ＣＰのＰＳが接続されていると判定する。
【００６２】
オプションで、ＡＰは、ＳＩＭカードに関する情報から、ＳＩＭカードのシリアル番号、現地の電話番号、音声メールボックス識別子、呼転送識別子、及びオペレータ名情報を取得する。ＡＰがＭＣＣ及びＭＮＣに基づいてデータ接続確立命令をＣＰに送信することは、ＡＰによって、ＭＣＣ及びＭＮＣに基づいてアクセスポイント名（ＡＰＮ）を作成することを含み、それによってＣＰは、ＡＰＮに基づいて見つけ出したネットワークへのデータ接続を確立する。ＡＰによって、ＳＩＭカードに関する情報から、ＳＩＭカードのシリアル番号、現地の電話番号、音声メールボックス識別子、呼転送識別子、及びオペレータ名情報を取得することと、ＡＰによって、ＭＣＣ及びＭＮＣに基づいてＡＰＮを作成することとが、並行して実行される。
【００６３】
ＡＰは、ＳＩＭカードに関する情報を読み出すことによって、ＳＩＭに関する情報内の特定のコンテンツを判定することが理解されよう。
【００６４】
本発明のこの実施形態では、ＳＩＭカードに関する情報からＭＣＣ及びＭＮＣに関する情報の読出しが完了した後に、ＡＰは、ＭＣＣ及びＭＮＣに基づいてＡＰＮを作成することに留意されたい。さらに、ＡＰは、ＳＩＭカードに関する情報内にあるＳＩＭカードのシリアル番号、現地の電話番号、音声メールボックス識別子、呼転送識別子、及びオペレータ名情報を読み出し続ける。従来技術とは異なり、ＡＰは、ＳＩＭカードに関する全ての情報の読出しが完了するのを待つ必要があり、それによってＡＰＮが作成される時間が早められる。本発明のこの実施形態では、カードの読出し速度が最適化され、それによってＡＰＮが作成される時間及びＰＳが接続される時間が早められ、データ接続を形成する時間を短縮し、最終的に全体としてユーザがデータサービスの確立を待つ時間を短縮する。
【００６５】
本発明のこの実施形態で提供されるデータ接続確立方法及び端末装置によれば、ＡＰは、ＳＩＭカードの全レコードの読み出しが完了するのを待つ必要はなく、ＳＩＭカードのＭＣＣ及びＭＮＣの読み出しさえ完了すれば、ＭＣＣ及びＭＮＣに基づいてＡＰＮを作成する。ＰＳが接続されていると判定された後に、ＣＰは、ＡＰＮに基づいてデータ接続を開始するよう命令を受けることができる。また、ＣＰは事前に電源が入っていてネットワークを探索し始めているため、ＰＳが接続される時間が早められる。本発明のこの実施形態では、端末装置によってデータ接続を確立する２つの条件が最適化され、それによってＰＳが接続される時間とＡＰＮが作成される時間とが早められる。データ接続を事前に開始することができ、それによってユーザがデータサービスを使用するための時間を大幅に短縮する。
【００６６】
本発明のこの実施形態において提供される端末装置に関して、ＡＰは、状態表示モジュール、データモジュール、カードモジュール、カードモジュール、ネットワーク状態モジュール、初期化モジュール、及びＲＩＬ等の複数のモジュールにさらに分割することができることに留意されたい。可能な例では、初期化モジュールは、主に、各モジュールを初期化し、ＲＩＬを使用することによりＡＰとＣＰとの間の接続を確立することを担当する。ネットワーク状態モジュールは、主に、ネットワーク登録状態の変化を監視し（listening  to）、問合せに関連するインターフェイス又はネットワーク登録の設定に関連するインターフェイスを提供し；ネットワーク登録状態が変化したときに、全ての登録されるモジュール及びコールバックが実行されるモジュールに最新の発見状態を通知することを担当する。カードモジュールは主に、ＳＩＭカードの状態の変化を監視し、変化があったときに、ＳＩＭカードの状態を問い合わせ、全ての登録されるモジュール及びコールバックが実行されるモジュールに通知する。データモジュールは、主に、データ接続又はデータ切断等の関連動作を担当し、現在のデータ接続状態を問い合わせるための関連インターフェイスを提供し；データ接続状態が変化したときに、全ての登録されるモジュール及びコールバックが実行されるモジュールに通知する。状態表示モジュールは、主に、ネットワーク登録状態（オペレータ名、ネットワーク信号強度、ネットワークタイプ、並びにアップリンク及びダウンリンクトラフィックの矢印等）を表示することを担当する。
【００６７】
ＡＰを複数のモジュールに分割する上述した方法では、ＡＰは、異なる動作によって複数の機能モジュールに分割されることに留意されたい。実際のアプリケーションでは、ＡＰは、より多くの又はより少ないモジュールをさらに含み得る。当業者は、ＰＳが接続される時間を早め、且つデータ接続を確立するための時間を短縮するためにＳＩＭカードの読出しを最適化するための技術的解決策及び端末装置は、両方とも本発明の実施形態の保護範囲内にあるものとする。これに対応して、図４Ａ及び図４Ｂは、本発明の実施形態によるデータ接続を確立する別のシグナリング対話図である。図４Ａ及び図４Ｂに示されるように、この実施形態で提供される方法は以下のステップを含む。ステップ４０１：ＲＩＬがネットワーク探索命令をＣＰに送信する。
【００６８】
ステップ４０１が実行される前に、方法は、ＡＰによって、ユーザによって送信されたスイッチオン命令を受信することを含む。
【００６９】
ＲＩＬがネットワーク探索コマンドをＣＰに事前に送信するときに、カードを端末装置のＳＩＭカードスロット内に挿入する必要があり、端末装置は航空機モード（airplane  mode）ではないことに留意されたい。また、初期化が完了した後に、ＳＩＭカードのホーム公衆陸上モバイルネットワーク（ＨＰＬＭＮ（Home  Public  Land  Mobile  Network））が読み出される。具体的には、通常、ＳＩＭカードのＭＣＣ及びＭＮＣが取得され得る。ＲＩＬは、最後の電源遮断の前に端末装置によって記憶され、且つ端末装置が航空機モードであるかどうかを示す情報に基づいて、端末装置が航空機モードであるかどうかを判定することができる。ＲＩＬはＳＩＭカードに関する情報を直接読み出すことができる。さらに、別の可能な実施態様では、ＣＰはＳＩＭカードに関する情報をＲＩＬに報告し、ＲＩＬは、ＣＰによって報告されたＳＩＭカードに関する情報に基づいて、ＳＩＭカードのＰＬＭＮを正常に取得できたと判定することができる。具体的には、ＣＰによってネットワーク探索手順を開始する概略図が図５に示されており、その手順は以下のステップを含む。
【００７０】
ステップ５０１：ＣＰが初期化を実行する。
【００７１】
ステップ５０２：ＲＩＬは、カードがＳＩＭカードスロット内に挿入されているかどうかを判定する。具体的には、カードがＳＩＭカードスロット内に挿入されている場合に、ステップ５０３が実行される。そうでなければ、ステップ５０７が実行される。
【００７２】
ステップ５０３：ＲＩＬは、航空機モードが端末装置上で無効にされているかどうかを判定する。具体的には、航空機モードが無効にされている場合に、ステップ５０４が実行される。そうでなければ、ステップ５０７が実行される。
【００７３】
ステップ５０４：ＲＩＬは、ＳＩＭカードのＭＣＣ及びＭＮＣを取得できたと判定する。
【００７４】
ステップ５０５：ＲＩＬは、ネットワーク探索命令をＣＰに配信する。ＲＩＬによってＣＰに送信されるネットワーク探索命令は、ＲＡＤＩＯ＿ＰＯＷＥＲ  ＯＮコマンドである。
【００７５】
ステップ５０６：ＣＰはネットワークを探索し始める。
【００７６】
ステップ５０７：ＲＩＬは、ネットワーク探索命令をＣＰに送信しない。カードがＳＩＭカードスロット内に挿入されていない場合、又は航空機モードが端末装置で有効になっている場合に、ＲＩＬはネットワーク探索命令をＣＰに事前に送信せず、ＡＰの別のモジュールが続いてＲＩＬをトリガしてネットワーク探索命令をＣＰに送信するのを待機することを示す。
【００７７】
ネットワーク探索命令は、無線電源オン（radio  power-on）コマンドとも呼ばれることがあることに留意されたい。
【００７８】
ステップ４０２：ＣＰはネットワークを探索し始める。
【００７９】
具体的には、電源オンコマンドＲＡＤＩＯ＿ＰＯＷＥＲ  ＯＮを受信した後に、ＣＰはネットワーク探索手順を開始することができる。ＣＰは、ネットワークを探索し、ＳＩＭカードに関する情報に基づいて、見つけ出したネットワークにデータサービス及び音声サービスを登録する。
【００８０】
ステップ４０３：初期化モジュールが、ＡＰとＣＰとの間のデータ接続を確立するための命令をＲＩＬに送信する。
【００８１】
ＲＩＬは、ＡＰとＣＰとの間のデータ接続を確立する。
【００８２】
ステップ４０４：ＣＰは、ＳＩＭカード状態変更情報及び無線状態情報をＡＰに報告する。
【００８３】
ＳＩＭカード状態変更情報は、ＵＮＳＯＬ＿ＲＥＳＰＯＮＳＥ＿ＳＩＭ＿ＳＴＡＴＵＳ＿ＣＨＡＮＧＥＤであり、その情報は、ＣＰによって要請されずに報告されたコマンドワードであり、特定の情報を搬送しない。その情報は、ＡＰがＳＩＭカードに関する情報を問い合わせるための命令をＣＰに送信できることを示す。
【００８４】
無線状態情報は、ＣＰがネットワークを探索し始めたかどうかを示す。無線状態情報は、以下の２つの場合を含む。
【００８５】
従来技術では、端末装置がスイッチオン命令を受信した後に、最初に、初期化モジュールは、ＡＰとＣＰとの間のデータ接続を確立するための命令をＲＩＬに送信する。次に、ＣＰは、ＳＩＭカード状態変更情報及び無線状態情報をＡＰに報告する。この場合に、無線状態情報がＵＮＳＯＬ＿ＲＥＳＰＯＮＳＥ＿ＲＡＤＩＯ＿ＳＴＡＴＥ＿ＣＨＡＮＧＥＤ  ＲＡＤＩＯ＿ＯＦＦコマンドである場合に、ＣＰはネットワーク探索命令を受信していない。具体的には、ＣＰはネットワークを探索し始めていない。次に、ＡＰは、現在の端末装置が航空機モードではなく、且つカードがＳＩＭカードスロット内に挿入されていると判定し、ＡＰはネットワーク探索命令ＲＡＤＩＯ＿ＯＮをＣＰに送信し、ＣＰはネットワークを探索して登録を実行する。
【００８６】
本発明のこの実施形態では、端末装置がスイッチオン命令を受信した後に、最初に、ＲＩＬはネットワーク探索命令をＣＰに送信し、ＣＰはネットワークを探索して登録を実行する。次に、ＣＰは、ＳＩＭカード状態変更情報及び無線状態情報をＡＰに報告する。この場合に、ＡＰが受信した無線状態情報がＵＮＳＯＬ＿ＲＥＳＰＯＮＳＥ＿ＲＡＤＩＯ＿ＳＴＡＴＥ＿ＣＨＡＮＧＥＤ  ＲＡＤＩＯ＿ＯＦＦコマンドである場合に、ＣＰはネットワーク探索命令を受信している。具体的には、ＣＰはネットワークを探索し始めている。ＡＰはもはやネットワーク探索命令をＣＰに送信していないが、ＳＩＭカードに関する情報を問い合わせること又はネットワーク登録情報を問い合わせること等の動作を実行する。
【００８７】
ステップ４０５：ＣＰがネットワーク状態変更情報をＡＰに報告する。
【００８８】
ネットワーク状態変更情報は、ＵＮＳＯＬ＿ＲＥＳＰＯＮＳＥ＿ＶＯＩＣＥ＿ＮＥＴＷＯＲＫ＿ＳＴＡＴＥ＿ＣＨＡＮＧＥＤであり、その情報は、ＣＰによって要請されずに報告されたコマンドワードであり、特定の情報を搬送しない。その情報は、ＡＰがネットワーク登録情報を問い合わせるための命令をＣＰに送信できることを示す。
【００８９】
ステップ４０６：カードモジュールが、ＳＩＭカードに関する情報を問い合わせるための命令をＣＰに送信する。
【００９０】
カードモジュールは、ＲＩＬを使用することにより、ＳＩＭカードに関する情報を問い合わせるための命令を送信し、次に、ＲＩＬは、問合せ命令をＣＰに転送することに留意されたい。簡略化のために、図は、ＲＩＬがＳＩＭカードに関する情報を問い合わせるための命令をＣＰに転送するプロセスを示していない。しかしながら、当業者はそのプロセスを理解すべきである。同様に、図４Ａ及び図４ＢにおいてＡＰとＣＰとの間で送信された命令が全てＲＩＬを使用することにより転送される。当業者は、図４Ａ及び図４ＢにおいてＲＩＬモジュールが受信した命令情報に基づいて、ＲＩＬが、ＲＩＬが受信した情報をそれに対応して転送することを学ぶことができなければならない。これは図４Ａ及び図４Ｂには示されておらず、本発明のこの実施形態に対するいかなる制限も構成しない。特別な説明は以下にこれ以上提供されない。
【００９１】
具体的には、ＳＩＭカード状態変更メッセージを受信した後に、カードモジュールは、要請されずにＳＩＭカードに関する情報を問い合わせる。
【００９２】
ＡＰによってＳＩＭカードに関する情報を問い合わせるために送信される命令は以下の通りである。
＞ＧＥＴ＿ＳＩＭ＿ＳＴＡＴＵＳ
＜ＧＥＴ＿ＳＩＭ＿ＳＴＡＴＵＳ  ＩｃｃＣａｒｄＳｔａｔｅ
｛ＣＡＲＤＳＴＡＴＥ＿ＰＲＥＳＥＮＴ，ＰＩＮＳＴＡＴＥ＿ＵＮＫＮＯＷＮ，ｎｕｍ＿ａｐｐｓ＝１，ｇｓｍ＿ｉｄ＝０｛ＡＰＰＴＹＰＥ＿ＵＳＩＭ，ＡＰＰＳＴＡＴＥ＿ＲＥＡＤＹ，ｐｉｎ１＝ＰＩＮＳＴＡＴＥ＿ＤＩＳＡＢＬＥＤ，ｐｉｎ２＝ＰＩＮＳＴＡＴＥ＿ＵＮＫＮＯＷＮ｝，ｃｄｍａ＿ｉｄ＝８，ｉｍｓ＿ｉｄ＝８｝
【００９３】
ステップ４０７：ネットワーク状態モジュールは、ネットワーク登録情報を問い合わせるための命令をＣＰに送信する。具体的には、ネットワーク状態変更メッセージを受信した後に、ネットワーク状態モジュールは、要請されずに現在のネットワーク登録情報に問い合わせる。
【００９４】
ＡＰによってデータサービス登録状態を問い合わせるために送信される命令は以下の通りである。
＞ＤＡＴＡ＿ＲＥＧＩＳＴＲＡＴＩＯＮ＿ＳＴＡＴＥ
＜ＤＡＴＡ＿ＲＥＧＩＳＴＲＡＴＩＯＮ＿ＳＴＡＴＥ｛１，１８３ｄ，９２９ｆ０ｂ，１４，２，９６０８９７１，３６０，６２０５，，，，，，，２｝
【００９５】
ＡＰによって音声サービス登録状態を問い合わせるために送信される命令は以下の通りである。
＞ＶＯＩＣＥ＿ＲＥＧＩＳＴＲＡＴＩＯＮ＿ＳＴＡＴＥ
＜ＶＯＩＣＥ＿ＲＥＧＩＳＴＲＡＴＩＯＮ＿ＳＴＡＴＥ｛１，１８３ｄ，９２９ｆ１ｆ，１４，２，，，，，，，，，２｝
【００９６】
ステップ４０８：ＣＰはＳＩＭカードに関する情報をＡＰに返す。
【００９７】
具体的には、ＳＩＭカードに関する情報は、ＳＩＭカードのＭＣＣ及びＭＮＣ、並びにＳＩＭカードのシリアル番号、現地の電話番号、音声メールボックス識別子、呼転送識別子、及びオペレータ名情報を含む。
【００９８】
ステップ４０９：ＣＰはネットワーク登録情報をＡＰに返す。
【００９９】
具体的には、ネットワーク登録情報は、ＰＳの登録状態及びＣＳの登録状態（サービス中／サービス外／緊急通報のみ／航空機モード）、登録ネットワークタイプ（２Ｇ，３Ｇ，４Ｇ等）、ローミング状態、登録ネットワーク名（チャイナモバイル（China  Mobile）、チャイナユニコム（China  Unicom）、チャイナテレコム（China  Telecom）等）、ネットワーク探索モード（自動ネットワーク探索／手動ネットワーク探索）等の情報を含む。
【０１００】
具体的には、ＣＰは、ＲＩＬを使用することにより、ＳＩＭカードに関する現在の情報及び現在のネットワーク登録情報を返す。
【０１０１】
ステップ４１０：カードモジュールは、ＳＩＭカードに関する情報からＭＣＣ及びＭＮＣに関する情報を読み出す。
【０１０２】
ステップ４１１：カードモジュールは、ＳＩＭカードのＭＣＣ及びＭＮＣに基づいて、データモジュールがＡＰＮを作成できることをデータモジュールに通知する。
【０１０３】
具体的には、カードモジュールは、ＳＩＭカードに関する情報の読出しの完了を待たずに、ＳＩＭカード内にあるＳＩＭカードのシリアル番号、現地の電話番号、音声メールボックス識別子、呼転送識別子、及びオペレータ名情報を読み出し、同時に、データモジュールがＳＩＭカードのＭＣＣ及びＭＮＣに基づいてＡＰＮを作成できることをデータモジュールに通知する。さらに、カードモジュールは、ＳＩＭカード内にあるＳＩＭカードのシリアル番号、現地の電話番号、音声メールボックス識別子、呼転送識別子、及びオペレータ名情報を読み出す。
【０１０４】
ステップ４１２：ネットワーク状態モジュールは、ＰＳが接続されていると判定する。
【０１０５】
具体的には、ネットワーク状態モジュールは、ネットワーク状態情報に表示される「ＰＳはサービス中」に基づいて、ＰＳが接続されていると判定する。
【０１０６】
ＰＳが接続されているかどうかを検証することは、端末によるデータ接続を開始する準備条件であることに留意されたい。ＰＳが接続されていると判定された場合に、端末装置は、ＡＰＮに基づいてネットワークへのデータ接続を開始することができる。
【０１０７】
ステップ４１３：ネットワーク状態モジュールは、ＰＳが接続されているという情報をデータモジュールに送信する。
【０１０８】
ステップ４１０〜ステップ４１３の実行順序は、上述した形態に限定されず、カードモジュールの動作とネットワーク状態モジュールの動作とを同時に行ってもよいことに留意されたい。換言すれば、カードモジュールによるＳＩＭカードに関する情報の読出しと、ネットワーク状態モジュールによるネットワーク登録情報の読出しとは、独立して実行してもよい。
【０１０９】
さらに、データモジュールによって、ＭＣＣ及びＭＮＣに基づいてＡＰＮを作成することと、ＡＰによって、ＳＩＭカード内にあるＳＩＭカードのシリアル番号、現地の電話番号、音声メールボックス識別子、呼転送識別子、及びオペレータ名情報を取得することとが、並行して実行され、それによってＡＰＮが作成される時間が早められる。
【０１１０】
ステップ４１４：データモジュールは、データ接続確立命令をＣＰに送信する。
【０１１１】
具体的には、データモジュールがデータ接続を確立するプロセスは、２つの前提条件を有する：すなわち、ＳＩＭカードのＭＣＣ及びＭＮＣに関する情報を取得することができることと、ＡＰＮがＭＣＣ及びＭＮＣ及びＭＮＣに基づいて作成され、ＰＳが接続されていることである。ＰＳが接続されたこともネットワーク準備完了状態として理解することができる。データモジュールがデータ接続を確立することを決定する手順が図６に示されており、具体的には以下のステップを含む。
【０１１２】
ステップ６０１：データモジュールは、ＳＩＭカード及びネットワークの準備が整うのを待つ。
【０１１３】
データモジュールがＳＩＭカード及びネットワークの準備が整うのを待つということは、データモジュールが、カードモジュール及びネットワーク状態モジュールによってフィードバックされた情報に基づいて、ＳＩＭカードのＭＣＣ及びＭＮＣを取得することができ、ＰＳが接続されていると判定することである。詳細は、ステップ６０２及びステップ６０３の説明を参照されたい。
【０１１４】
ステップ６０２：データモジュールは、ＳＩＭカードのＭＮＣ及びＭＣＣを取得できるかどうかを判定する。カードモジュールが、データモジュールがＳＩＭカードのＭＣＣ及びＭＮＣに基づいてデータ接続を形成できることをデータモジュールに通知すると、データモジュールは、ＭＣＣ及びＭＮＣを取得できたと判定し、データモジュールはＭＣＣ及びＭＮＣに基づいてＡＰＮを作成し、ステップ６０３を実行する。そうでなければ、ステップ６０５を実行する。
【０１１５】
ステップ６０３：データモジュールは、ＰＳが接続されているかどうかを判定する。ネットワーク状態モジュールは、ネットワーク登録情報に基づいて、ＰＳが接続されているかどうかを判定する。ネットワーク状態モジュールが、ＰＳが接続されているという情報をデータモジュールに送信すると、データモジュールは、ＰＳが接続されていると判定し、ステップ６０４を実行する。そうでなければ、ステップ６０５を実行する。
【０１１６】
ステップ６０４：データモジュールは、ネットワークへのデータ接続を開始するようＣＰに命令する。
【０１１７】
データモジュールは、ＡＰＮに基づいてネットワークへのデータ接続を開始するようＣＰに命令する。
【０１１８】
ステップ６０５：データモジュールは終了して待機する。ＳＩＭカードのＭＣＣ及びＭＮＣに関する情報を取得できない場合、又はＰＳが接続されていない場合に、データモジュールはデータ接続を開始しないことを示す。ＭＣＣが取得され、ＡＰＮがＭＣＣ及びＭＮＣに基づいて作成され、ＰＳが接続されていると判定されるまで、データ接続形成品質がＣＰに送信される。
【０１１９】
具体的には、データモジュールは、ＳＩＭカード及びネットワークの準備が整うのを待ってからデータ接続を確立する。具体的には、ＣＰは、ＡＰＮに基づいてネットワークへのデータ接続を確立するよう命令される。
【０１２０】
本発明のこの実施形態では、ＡＰは、ＳＩＭカードに関する全ての情報の読出しの完了を待たずに、ＭＣＣ及びＭＮＣに基づいてＡＰＮを作成することができ、それによってＡＰＮが作成される時間を早めることができる。カードの読出し速度が最適化され、ＰＳが接続される時間及びＡＰＮが作成される時間が早められ、それによってデータ接続を形成する時間を短縮し、最終的に全体としてユーザがデータサービスの確立を待つ時間を短縮する。
【０１２１】
ステップ４１５：ＣＰは、ネットワークデータサービスが利用可能であることを示す情報をＡＰに返す。
【０１２２】
特に、データサービスが利用可能である場合に、具体的には、データ接続が成功裏に確立された場合に、ＣＰは、データサービスが利用可能であることを示すために、ネットワークインターフェイス名、インターネットプロトコル（ＩＰ（Internet  Protocol））アドレス、ドメインネームシステム（ＤＮＳ（Domain  Name  System））、及びＡＰへのゲートウェイ等の情報を返す。データサービスが利用できない場合に、具体的には、データ接続の確立に失敗すると、ＣＰはＡＰにエラーを報告する。
【０１２３】
ステップ４１６：状態表示モジュールはネットワーク登録状態を表示する。
【０１２４】
具体的には、データ接続が確立された後に、状態表示モジュールはネットワーク関連の状態をユーザに表示する。例えば、状態表示モジュールは、オペレータ名、ネットワーク信号強度、ネットワークタイプ、並びにアップリンク及びダウンリンクトラフィックの矢印等のネットワーク情報を表示する。
【０１２５】
本発明のこの実施形態において提供される端末装置及びデータ接続確立方法によれば、カードを読み出すときに、ＡＰ内のカードモジュールは、ＳＩＭカードカードの全てのレコードの読出しが完了するのを待つ必要がない。ＳＩＭカードのＭＣＣ及びＭＮＣの読み出しさえ完了すれば、データモジュールは、データモジュールがカードのＭＣＣ及びＭＮＣに基づいてＡＰＮを作成できることの通知を受けることができ、それによってＡＰＮが作成される時間が早められる。ネットワーク状態モジュールは、ＰＳが接続されるのを待つ必要があり、次にデータモジュールがデータ接続を開始できることをデータモジュールに通知する。ＡＰは、ＡＰＮに基づいてデータ接続を開始するようにＣＰに通知する。ＣＰは事前に電源が入っていてネットワークを探索し始めているため、ＰＳが接続される時間が早められる。本発明のこの実施形態では、端末装置に対するデータ接続を確立する２つの条件が最適化され、データ接続を事前に開始することができ、それによってユーザがデータサービスを使用する時間を大幅に短縮する。
【０１２６】
本発明のこの実施形態において提供される、データ接続の確立を待つための時間を短縮する２つの解決策のうちの１つを選択し実行することができることが理解されよう。ＡＰによるデータ接続形成命令の送信条件は、ＡＰＮの作成が完了しており、ＰＳが接続されていると判定することである。従って、ＡＰＮが作成される時間を早める又はＰＳが接続される時間を早めることの少なくとも１つの条件が満たされる限り、データ接続の開始が早められ、ユーザがデータサービスを使用する時間が短縮される。
【０１２７】
これに対応して、図７は、本発明の一実施形態による別の端末装置である。図７を参照すると、本発明のこの実施形態で提供される端末装置は、無線周波数（ＲＦ（Radio  Frequency））回路７１０、メモリ７２０、プロセッサ７３０、入力ユニット７４０、及び表示ユニット７５０を含む。当業者は、図７に示される端末装置の構造が、端末装置に関する限定を構成するものではなく、図に示されるよりも多い又は少ない構成要素を含んでもよく、或いはいくつかの構成要素を組み合わせてもよく、或いは異なる構成要素の配置を有してもよいことを理解できるであろう。
【０１２８】
プロセッサ７３０は、２つの部分、すなわちＡＰ７３１とＣＰ７３２とを含む。ＡＰ７３１は、通信バスを使用することによりＣＰ７３２に接続される。ＲＩＬが、ＡＰ７３１とＣＰ７３２との間の通信を確立するソフトウェアインターフェイスである。ＡＰ及びＣＰは、図７のプロセッサ７３０に統合されることに留意されたい。本発明の別の実施形態では、ＡＰ及びＣＰのそれぞれが独立したプロセッサとして機能することもできる。具体的には、図７の構成要素の機能について以下で詳細に説明する。
【０１２９】
ＲＦ回路７１０は、情報を送受信する、例えば、ネットワークと情報を交換し、且つ受信した情報を処理のためにプロセッサ７３０に送信するように設定され得る。通常、ＲＦ回路７１０は、アンテナ、少なくとも１つの増幅器、トランシーバ、カプラ、低雑音増幅器（ＬＮＡ（Low  Noise  Amplifier））、デュプレクサ等を含むが、これらに限定されるものではない。また、ＲＦ回路７１０は、無線通信を介してネットワーク及び別の装置とさらに通信することができる。無線通信は、グローバル移動体通信システム（ＧＳＭ（Global  System  of  Mobile  Communication））、汎用パケット無線サービス（ＧＰＲＳ（General  Packet  Radio  Service））、符号分割多元接続（ＣＤＭＡ（Code  Division  Multiple  Access））、広帯域符号分割多元接続（ＷＣＤＭＡ（Wideband  Code  Division  Multiple  Access））、ロングタームエボリューション（ＬＴＥ（Long  Term  Evolution））、電子メール、ショートメッセージサービス（ＳＭＳ（Short  Messaging  Service））等を含むが、これらに限定されない任意の通信規格又はプロトコルを使用することができる。
【０１３０】
メモリ７２０は、プログラム命令を記憶するように設定することができる。ＡＰ７３１及びＣＰ７３２は、メモリ７２０に記憶されているプログラム命令を実行し、それによって、端末は、図１〜図６に示されるデータ接続を確立するための方法を実行する。メモリ７２０は、主に、プログラム記憶領域とデータ記憶領域とを含み得る。プログラム記憶領域は、オペレーティングシステム、データ接続確立方法を実現するために必要なアプリケーションプログラム等を記憶することができる。さらに、メモリ７２０は、ランダムアクセスメモリ（ＲＡＭ（random-access  memory））等の揮発性メモリ（volatile  memory）を含み得る。あるいはまた、メモリ７２０は、読出し専用メモリ（ＲＯＭ（read-only  memory））、フラッシュメモリ（flash  memory）、ハードディスク（ＨＤＤ（hard  disk  drive））、又は固体状態ドライブ（ＳＳＤ（solid-state  drive））等の不揮発性メモリ（non-volatile  memory）を含み得る。メモリ７２０は、前述したタイプのメモリの組合せをさらに含み得る。
【０１３１】
プロセッサ７３０は、端末装置の制御センターであり、各種インターフェイス及び回線を使用することにより端末全体の各部に接続される。メモリ７２０に記憶されたソフトウェアプログラム及び／又はモジュールを実行又は実施することによって、及びメモリ７２０に記憶されたデータを呼び出すことによって、プロセッサ７３０は、図１〜図６に示されるデータ接続を確立するための方法を実行する。オプションで、プロセッサ７３０は１つ又は複数の処理装置を含むことができる。図７に示されるように、アプリケーションプロセッサ（ＡＰ）７３１及び通信プロセッサ（ＣＰ）７３２は、プロセッサ７３０に統合してもよい。ＡＰ７３１は、主に、オペレーティングシステム、ユーザインターフェイス、及びアプリケーションプログラム等を処理する。ＣＰ７３２は、主に、ＳＩＭカードとの無線通信及び対話を処理する。あるいはまた、ＣＰ７３２はプロセッサ７３０に統合しなくてもよいことが理解されよう。
【０１３２】
入力ユニット７４０は、スイッチオン命令等を含むユーザによって入力されるデジタル情報又は文字情報を受け取るように設定され得る。具体的には、入力ユニット７４０は、オン／オフキー７４１と別の入力装置７４２とを含む。オン／オフキー７４１は、ユーザによってオンオフキー７４１に対して実行された押圧操作を受け取り、ユーザの押圧操作を、予め設定されたプログラムによって駆動される対応する接続機器へフィードバックするように設定される。押圧操作は、接続機器を使用することによりスイッチオン命令に変換され、スイッチオン命令はプロセッサ７３０に送信される。あるいはまた、オン／オフキー７４１は、ユーザの押圧操作をスイッチオン命令としてそのまま使用し、スイッチオン命令をプロセッサ７３０にフィードバックする。入力ユニット７４０は、別の入力装置７４２をさらに含んでもよい。具体的には、別の入力装置７４２は、タッチパネル、物理的キーボード、音量調節キー、トラックボール、マウス、ジョイスティック等の１つ又は複数を含んでもよいが、これらに限定されるものではない。
【０１３３】
表示ユニット７５０は、ユーザによって入力された情報又はユーザに提供される情報を表示するように設定してもよい。表示ユニット７５０は表示画面７５１を含んでもよい。オプションとして、表示画面７５１は、液晶ディスプレイ（ＬＣＤ（Liquid  Crystal  Display））、有機発光ダイオード（ＯＬＥＤ（Organic  Light-Emitting  Diode））等の形態で設定してもよい。
【０１３４】
図示されていないが、端末装置は、ワイファイ（ＷｉＦｉ（wireless  fidelity））モジュール、カメラ、ブルートゥースモジュール、電源等をさらに含んでもよい。詳細は本明細書に説明しない。
【０１３５】
具体的な例では、ＡＰ７３１は、オン／オフキー７４１を使用することによりスイッチオン命令を受信する。ＡＰ７３１は、ネットワーク探索命令をＣＰ７３２に送信する。ＣＰ７３２は、ネットワーク探索命令に基づいてネットワークを探索する。ＡＰ７３１は、ＣＰ７３２によって送信されたＳＩＭカード状態変更情報及びネットワーク状態変更情報を受信する。ＡＰ７３１は、ＳＩＭカード状態変更情報及びネットワーク状態変更情報に基づいて、データ接続確立命令をＣＰ７３２に送信する。ＣＰ７３２は、見つけ出したネットワークへのデータ接続を確立する。
【０１３６】
また、ネットワーク状態が表示画面７５１を使用することにより表示される。例えば、オペレータ名、ネットワーク信号強度、ネットワークタイプ、並びにアップリンク及びダウンリンクトラフィックの矢印等のネットワーク情報が、表示画面７５１の一番上に表示される。
【０１３７】
本発明のこの実施形態では、ネットワーク探索命令はＣＰ７３２に事前に送信されているため、ＰＳが接続される時間が早められ、データ接続を確立する時間が短縮されることに留意されたい。
【０１３８】
オプションで、ＣＰ７３２は、ネットワーク探索命令及び加入者識別モジュール（ＳＩＭ）カードに関する情報に基づいて、見つけ出したネットワークにデータサービス（ＰＳ）を登録し、ＰＳが成功裏に登録されると、ＣＰ７３２のＰＳが接続される。ＡＰ７３１は、ＳＩＭカード状態変更情報及びネットワーク状態変更情報に基づいて、データ接続確立命令をＣＰ７３２に送信し、ネットワーク状態変更情報に基づいて、ＣＰ７３２のＰＳが接続されていると判定し、且つＭＣＣ及びＭＮＣに基づいてデータ接続確立命令をＣＰ７３２に送信する。ＣＰ７３２は、データ接続確立命令に基づいて、見つけ出したネットワークへのデータ接続を確立する。
【０１３９】
オプションで、ＡＰ７３１は、ＣＰ７３２によって送信された無線状態情報を受信し、ここで無線状態情報は、ＣＰ７３２がネットワークを探索し始めたことを示すために使用される。
【０１４０】
オプションで、ＡＰ７３１は、ＳＩＭカード状態変更情報に基づいて、ＳＩＭカードに関する情報を問い合わせるための命令をＣＰ７３２に送信し、ＣＰ７３２によって送信されたＳＩＭカードに関する情報を受信し、且つＳＩＭカードに関する情報からＳＩＭカードのＭＣＣ及びＭＮＣを取得する。
【０１４１】
オプションで、ＡＰ７３１は、ネットワーク状態変更情報に基づいて、ネットワーク登録情報を問い合わせるための命令をＣＰ７３２に送信し、ＣＰ７３２によって返されたネットワーク登録情報を受信し、且つネットワーク登録情報に基づいて、ＣＰ７３２のＰＳが接続されていると判定する。
【０１４２】
オプションで、ＡＰ７３１は、ＳＩＭカードに関する情報から、ＳＩＭカードのシリアル番号、現地の電話番号、音声メールボックス識別子、呼転送識別子、及びオペレータ名情報を取得する。ＡＰ７３１は、ＭＣＣ及びＭＮＣに基づいてアクセスポイント名（ＡＰＮ）を作成するように特に設定されているので、ＣＰ７３２は、ＡＰＮに基づいて見つけ出したネットワークへのデータ接続を確立する。ＡＰ７３１によって、ＳＩＭカードに関する情報から、ＳＩＭカードのシリアル番号、現地の電話番号、音声メールボックス識別子、呼転送識別子、及びオペレータ名情報を取得することと、ＡＰ７３１によって、ＭＣＣ及びＭＮＣに基づいてＡＰＮを作成することとが、並行して実行される。
【０１４３】
ＡＰによって、ＳＩＭカードに関する情報から、ＳＩＭカードのシリアル番号、現地の電話番号、音声メールボックス識別子、呼転送識別子、及びオペレータ名情報を取得することと、ＡＰによって、ＭＣＣ及びＭＮＣに基づいてＡＰＮを作成することとが、並行して実行され、それによってＡＰＮが作成される時間が早められる。さらに、本発明のこの実施形態では、ＰＳが接続される時間が早められ、データ接続の形成を待つ時間がさらに短縮され、ユーザエクスペリエンスが改善される。
【０１４４】
それに対応して、本発明の実施形態は別の端末装置を提供する。この実施形態で提供される端末装置のアーキテクチャ図については、図７を参照されたい。詳細は本明細書では説明しない。
【０１４５】
別の特定の例では、ＣＰはネットワーク探索命令を受信する。ＣＰは、ネットワーク探索命令に基づいてネットワークを探索する。ＣＰは、ＳＩＭカード状態変更情報及びネットワーク状態変更情報をＡＰに送信する。ＡＰは、ＳＩＭカード状態変更情報及びネットワーク状態変更情報に基づいて、データ接続確立命令をＣＰに送信する。ＣＰは、データ接続確立命令に基づいて、見つけ出したネットワークへのデータ接続を確立する。
【０１４６】
オプションで、ＣＰがネットワークを探索した後に、ＣＰは無線状態情報をＡＰにさらに送信し、ここで無線状態情報は、ＣＰがネットワークを探索し始めたことを示すために使用される。
【０１４７】
それに対応して、本発明の一実施形態は別の端末装置をさらに提供する。この実施形態で提供される端末装置のアーキテクチャ図については、図７を参照されたい。詳細は本明細書では説明しない。
【０１４８】
さらに別の特定の例では、ＡＰは、オン／オフキーを使用することによりスイッチオン命令を受信する。ＡＰは、ＳＩＭカードに関する情報から加入者識別モジュール（ＳＩＭ）カードのモバイル国コード（ＭＣＣ）及びモバイルネットワークコード（ＭＮＣ）を取得する。ＡＰは、ＳＩＭカードに関する情報から、ＳＩＭカードのシリアル番号、現地の電話番号、音声メールボックス識別子、呼転送識別子、及びオペレータ名情報を取得する。ＡＰは、ＭＣＣ及びＭＮＣに基づいてアクセスポイント名（ＡＰＮ）を作成する。ＡＰによって、ＳＩＭカードに関する情報から、ＳＩＭカードのシリアル番号、現地の電話番号、音声メールボックス識別子、呼転送識別子、及びオペレータ名情報を取得することと、ＡＰによって、ＭＣＣ及びＭＮＣに基づいてＡＰＮを生成することとが、並行して実行される。ＡＰはデータ接続確立命令をＣＰに送信し、それによりＣＰはＡＰＮに基づいて見つけ出したネットワークへのデータ接続を確立する。
【０１４９】
オプションで、アプリケーションプロセッサ（ＡＰ）がスイッチオン命令を受信した後に、ＡＰはネットワーク探索命令をＣＰに送信し、ここでネットワーク探索命令はネットワークを探索するようＣＰに命令するために使用され、ＡＰは、ＣＰにより送信されたＳＩＭカード状態変更情報及びネットワーク状況変更情報を受信する。ＡＰは、ＳＩＭカード状態変更情報に基づいて、ＳＩＭカードに関する情報を問い合わせるための命令をＣＰに送信する。ＡＰは、ＣＰにより送信されたＳＩＭカードに関する情報を受信する。ＡＰは、ＳＩＭカードに関する情報からＳＩＭカードのＭＣＣ及びＭＮＣを取得する。ＡＰは、ネットワーク状態変更情報に基づいて、ＣＰがデータサービス（ＰＳ）を成功裏に登録したと判定した後に、データ接続確立命令をＣＰに送信するように特に設定される。
【０１５０】
本発明のこの実施形態で提供される端末装置は、図２Ａ及び図２Ｂ又は図３に示されるデータ接続確立方法を実施するために、より多い又はより少ない仮想又は物理モジュールを含み得ることに留意されたい。本発明のこの実施形態は、いくつかの可能な例を提供するに過ぎず、本発明の保護範囲を限定するものではない。
【０１５１】
本発明の実施形態で提供されるデータ接続確立方法及び端末装置は、ＰＳが接続される時間を早めることにより、データ接続を確立するための時間を短縮し、ユーザの待ち時間を短縮する。また、本発明の実施の形態では、さらに、ＡＰＮが作成される時間が早められる。従って、データ接続を確立するための時間がさらに短縮され、ユーザがデータサービスを使用するための時間が大幅に短縮され、ユーザエクスペリエンスが改善される。
【０１５２】
当業者は、本明細書に開示された実施形態において説明された例と組み合わせて、ユニット及びアルゴリズムステップが電子ハードウェア、コンピュータソフトウェア、又はこれらの組合せによって実施されてもよいことをさらに知っている可能性がある。ハードウェアとソフトウェアとの間の互換性を明確に説明するために、前述したものは、概して、機能に基づいて各例の構成及びステップについて説明した。機能がハードウェア又はソフトウェアのどちらで実行されるかは、特定のアプリケーション及び技術的解決策の設計制約条件に依存する。当業者は、特定のアプリケーション毎に説明した機能を実施するために異なる方法を使用することができるが、その実施が本発明の範囲を超えるとみなすべきではない。
【０１５３】
当業者は、実施形態の前述した方法のそれぞれにおけるステップの全部又は一部が、プロセッサに命令するプログラムによって実施され得ることを理解するであろう。前述したプログラムは、コンピュータ可読記憶媒体に記憶させることができる。記憶媒体は、ランダムアクセスメモリ、読出し専用メモリ、フラッシュメモリ、ハードディスク、固体状態ドライブ、磁気テープ（英語：magnetic  tape）、フロッピーディスク（英語：floppy  disk）、光ディスク（英語：optical  disc）、又はこれらの任意の組合せ等の非一時的な（英語：non-transitory）媒体であり得る。
【０１５４】
前述した説明は、本発明の例示的な特定の実装態様に過ぎず、本発明の保護範囲を限定することを意図するものではない。本発明に開示された技術的範囲内で当業者によって容易に考え出されるあらゆる変形又は置換は、本発明の保護範囲内に入るものとする。従って、本発明の保護範囲は特許請求の範囲の保護範囲に従うものとする。
【図１】
2019537854.tif 000003
【図２Ａ】
2019537854.tif 000004
【図２Ｂ】
2019537854.tif 000005
【図３】
2019537854.tif 000006
【図４Ａ】
2019537854.tif 000007
【図４Ｂ】
2019537854.tif 000008
【図５】
2019537854.tif 000009
【図６】
2019537854.tif 000010
【図７】
2019537854.tif 000011
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
データ接続確立方法であって、当該方法は、
アプリケーションプロセッサ（ＡＰ）によって、スイッチオン命令を受信するステップと、
前記ＡＰによって、ネットワーク探索命令を通信プロセッサ（ＣＰ）に送信するステップであって、前記ネットワーク探索命令は、ネットワークを探索するよう前記ＣＰに命令するために使用される、送信するステップと、
前記ＡＰによって、前記ＣＰにより送信されたＳＩＭカード状態変更情報及びネットワーク状態変更情報を受信するステップと、
前記ＡＰによって、前記ＳＩＭカード状態変更情報及び前記ネットワーク状態変更情報に基づいて、データ接続確立命令を前記ＣＰに送信するステップであって、前記データ接続確立命令は、見つけ出したネットワークへのデータ接続を確立するよう前記ＣＰに命令するために使用される、送信するステップと、を含む、
方法。
【請求項２】
前記ネットワーク探索命令は、加入者識別モジュール（ＳＩＭ）カードに関する情報に基づいて、前記見つけ出したネットワークにデータサービス（ＰＳ）を登録するよう前記ＣＰに命令するためにさらに使用され、
前記ＡＰによって、前記ＳＩＭカード状態変更情報及び前記ネットワーク状態変更情報に基づいて、データ接続確立命令を前記ＣＰに送信するステップであって、前記データ接続確立命令は、前記見つけ出したネットワークへのデータ接続を確立するよう前記ＣＰに命令するために使用される、送信するステップは、
前記ＡＰによって、前記ＳＩＭカード状態変更情報に基づいて、前記ＳＩＭカードのモバイル国コード（ＭＣＣ）及びモバイルネットワークコード（ＭＮＣ）を判定するステップと、
前記ＡＰによって、前記ネットワーク状態変更情報に基づいて、前記ＣＰが前記ＰＳを成功裏に登録したと判定するステップと、
前記ＡＰによって、前記ＭＣＣ及び前記ＭＮＣに基づいて、前記データ接続確立命令を前記ＣＰに送信するステップであって、前記データ接続確立命令は、前記見つけ出したネットワークへのデータ接続を確立するよう前記ＣＰに命令するために使用される、送信するステップと、を含む、請求項１に記載の方法。
【請求項３】
前記ＡＰによって、ネットワーク探索命令を通信プロセッサ（ＣＰ）に送信した後に、
前記ＡＰによって、前記ＣＰにより送信された無線状態情報を受信するステップであって、該無線状態情報は、前記ＣＰがネットワークを探索し始めたことを示すために使用される、受信するステップをさらに含む、請求項１又は２に記載の方法。
【請求項４】
前記ＡＰによって、前記ＳＩＭカード状態変更情報に基づいて前記ＳＩＭカードのモバイル国コード（ＭＣＣ）及びモバイルネットワークコード（ＭＮＣ）を判定するステップは、
前記ＡＰによって、前記ＳＩＭカード状態変更情報に基づいて、前記ＳＩＭカードに関する前記情報を問い合わせるための命令を前記ＣＰに送信するステップと、
前記ＡＰによって、前記ＣＰにより送信された前記ＳＩＭカードに関する前記情報を受信するステップと、
前記ＡＰによって、前記ＳＩＭカードに関する前記情報から前記ＳＩＭカードの前記ＭＣＣ及び前記ＭＮＣを取得するステップと、を含む、請求項２又は３に記載の方法。
【請求項５】
前記ＡＰによって、前記ネットワーク状態変更情報に基づいて、前記ＣＰが前記ＰＳを成功裏に登録したと判定するステップは、
前記ＡＰによって、前記ネットワーク状態変更情報に基づいて、ネットワーク登録情報を問い合わせるための命令を前記ＣＰに送信するステップと、
前記ＡＰによって、前記ＣＰにより返された前記ネットワーク登録情報を受信するステップと、
前記ＡＰによって、前記ネットワーク登録情報に基づいて、前記ＣＰの前記ＰＳが接続されていると判定するステップと、を含む、請求項２又は３に記載の方法。
【請求項６】
当該方法は、
前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップをさらに含み、
前記ＡＰによって、前記ＭＣＣ及び前記ＭＮＣに基づいて前記データ接続確立命令を前記ＣＰに送信するステップは、
前記ＡＰによって、前記ＭＣＣ及び前記ＭＮＣに基づいてアクセスポイント名（ＡＰＮ）を作成するステップであって、それによって前記ＣＰは前記ＡＰＮに基づいて前記見つけ出したネットワークへのデータ接続を確立する、作成するステップを含み、
前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップと、前記ＡＰによって、前記ＭＣＣ及び前記ＭＮＣに基づいて前記ＡＰＮを作成するステップとが、並行して実行される、請求項４又は５に記載の方法。
【請求項７】
データ接続確立方法であって、当該方法は、
通信プロセッサ（ＣＰ）によって、ネットワーク探索命令を受信するステップであって、該ネットワーク探索命令は、ネットワークを探索するようＣＰに命令するために使用される、受信するステップと、
前記ＣＰによって、前記ネットワークを探索するステップと、
前記ＣＰによって、ＳＩＭカード状態変更情報及びネットワーク状態変更情報をアプリケーションプロセッサ（ＡＰ）に送信するステップであって、前記ＳＩＭカード状態変更情報及び前記ネットワーク状態変更情報は、前記ＡＰによって、データ接続確立命令を前記ＣＰに送信するために使用される、送信するステップと、
前記ＣＰによって、見つけ出したネットワークへのデータ接続を確立するステップと、を含む、
方法。
【請求項８】
前記ＣＰが、ネットワークを探索し、且つ前記ＳＩＭカードに関する情報に基づいて前記見つけ出したネットワークにデータサービスを登録した後に、当該方法は、
前記ＣＰによって、無線状態情報を前記ＡＰに送信するステップであって、前記無線状態情報は、前記ＣＰがネットワークを探索し始めたことを示すために使用される、送信するステップをさらに含む、請求項７に記載の方法。
【請求項９】
データ接続確立方法であって、当該方法は、
アプリケーションプロセッサ（ＡＰ）によって、スイッチオン命令を受信するステップと、
前記ＡＰによって、加入者識別モジュール（ＳＩＭ）カードに関する情報から前記ＳＩＭカードのモバイル国コード（ＭＣＣ）及びモバイルネットワークコード（ＭＮＣ）を取得するステップと、
前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップと、
前記ＡＰによって、前記ＭＣＣ及び前記ＭＮＣに基づいて、アクセスポイント名（ＡＰＮ）を作成するステップであって、前記ＡＰによって、前記ＳＩＭカードに関する前記情報から、前記ＳＩＭカードのシリアル番号、現地の電話番号、音声メールボックス識別子、呼転送識別子、及びオペレータ名情報を取得するステップと、前記ＡＰによって、前記ＭＣＣ及び前記ＭＮＣに基づいて前記ＡＰＮを作成するステップとが、並行して実行される、作成するステップと、
前記ＡＰによって、データ処理確立命令を通信プロセッサ（ＣＰ）に送信するステップであって、それによって前記ＣＰは前記ＡＰＮに基づいて見つけ出したネットワークへのデータ接続を確立する、送信するステップと、を含む、
方法。
【請求項１０】
アプリケーションプロセッサ（ＡＰ）によって、スイッチオン命令を受信するステップの後に、
前記ＡＰによって、ネットワーク探索命令を前記ＣＰに送信するステップであって、前記ネットワーク探索命令は、前記ネットワークを探索するようＣＰに命令するために使用される、送信するステップと、
前記ＡＰによって、前記ＣＰにより送信されたＳＩＭカード状態変更情報及びネットワーク状態変更情報を受信するステップと、をさらに含み、
前記ＡＰによって、加入者識別モジュール（ＳＩＭ）カードに関する情報から前記ＳＩＭカードのモバイル国コード（ＭＣＣ）及びモバイルネットワークコード（ＭＮＣ）を取得するステップは、
前記ＡＰによって、前記ＳＩＭカード状態変更情報に基づいて、前記ＳＩＭカードに関する前記情報を問い合わせるための命令を前記ＣＰに送信するステップと、
前記ＡＰによって、前記ＣＰにより送信された前記ＳＩＭカードに関する前記情報を受信するステップと、
前記ＡＰによって、前記ＳＩＭカードに関する前記情報から前記ＳＩＭカードの前記ＭＣＣ及び前記ＭＮＣを取得するステップと、を含み、
前記ＡＰによって、データ接続確立命令をＣＰに送信するステップは、
前記ＡＰが、前記ネットワーク状態変更情報に基づいて、前記ＣＰがデータサービス（ＰＳ）を成功裏に登録したと判定した後に、前記ＡＰによって、前記データ接続確立命令を前記ＣＰに送信するステップを含む、請求項９に記載の方法。
【請求項１１】
アプリケーションプロセッサ（ＡＰ）及び通信プロセッサ（ＣＰ）を含む端末装置であって、
前記ＡＰは、通信バスを使用することにより前記ＣＰに接続され、
前記ＡＰは、スイッチオン命令を受信するように設定され、
前記ＡＰは、ネットワーク探索命令を前記ＣＰに送信するようにさらに設定され、
前記ＣＰは、前記ネットワーク探索命令に基づいてネットワークを探索するように設定され、
前記ＡＰは、前記ＣＰにより送信されたＳＩＭカード状態変更情報及びネットワーク状態変更情報を受信するようにさらに設定され、
前記ＡＰは、前記ＳＩＭカード状態変更情報及び前記ネットワーク状態変更情報に基づいて、データ接続確立命令を前記ＣＰに送信するようにさらに設定され、
前記ＣＰは、見つけ出したネットワークへのデータ接続を確立するように設定される、
端末装置。
【請求項１２】
前記ＣＰは、前記ネットワーク探索命令及び加入者識別モジュール（ＳＩＭ）カードに関する情報に基づいて、前記見つけ出したネットワークにデータサービス（ＰＳ）を登録するようにさらに設定され、
前記ＡＰは、前記ＳＩＭカード状態変更情報に基づいて、前記ＳＩＭカードのモバイル国コード（ＭＣＣ）及びモバイルネットワークコード（ＭＮＣ）を判定し、前記ネットワーク状態変更情報に基づいて、前記ＣＰが前記ＰＳを成功裏に登録したと判定し、且つ前記ＭＣＣ及び前記ＭＮＣに基づいて、前記データ接続確立命令を前記ＣＰに送信するように特に設定され、
前記ＣＰは、前記データ接続確立命令に基づいて、前記見つけ出したネットワークへのデータ接続を確立するように特に設定される、請求項１１に記載の端末装置。
【請求項１３】
前記ＡＰは、前記ＣＰにより送信された無線状態情報を受信するようにさらに設定され、該無線状態情報は、前記ＣＰがネットワークを探索し始めたことを示すために使用される、請求項１１又は１２に記載の端末装置。
【請求項１４】
前記ＡＰは、前記ＳＩＭカード状態変更情報に基づいて、前記ＳＩＭカードに関する前記情報を問い合わせるための命令を前記ＣＰに送信し、前記ＣＰにより送信された前記ＳＩＭカードに関する前記情報を受信し、且つ前記ＳＩＭカードに関する前記情報から前記ＳＩＭカードの前記ＭＣＣ及び前記ＭＮＣを取得するように特に設定される、請求項１２又は１３に記載の端末装置。
【請求項１５】
前記ＡＰは、前記ネットワーク状態変更情報に基づいて、ネットワーク登録情報を問い合わせるための命令を前記ＣＰに送信し、前記ＣＰにより返された前記ネットワーク登録情報を受信し、且つ前記ネットワーク登録情報に基づいて、前記ＣＰの前記ＰＳが接続されていると判定するように特に設定される、請求項１２又は１３に記載の端末装置。
【請求項１６】
前記ＡＰは、前記ＳＩＭカードに関する前記情報から、前記ＳＩＭカードのシリアル番号、現地の電話番号、音声メールボックス識別子、呼転送識別子、及びオペレータ名情報を取得するようにさらに設定され、
前記ＡＰは、前記ＭＣＣ及び前記ＭＮＣに基づいてアクセスポイント名（ＡＰＮ）を作成するように特に設定され、それによって前記ＣＰは、前記ＡＰＮに基づいて前記見つけ出したネットワークへのデータ接続を確立し、ここで、前記ＡＰによって、前記ＳＩＭカードに関する前記情報から前記ＳＩＭカードのシリアル番号、現地の電話番号、音声メールボックス識別子、呼転送識別子、及びオペレータ名情報を取得することと、前記ＡＰによって、前記ＭＣＣ及び前記ＭＮＣに基づいて前記ＡＰＮを作成することとが、並行して実行される、請求項１４又は１５に記載の端末装置。
【請求項１７】
アプリケーションプロセッサ（ＡＰ）及び通信プロセッサ（ＣＰ）を含む端末装置であって、
前記ＡＰは、通信バスを使用することにより前記ＣＰに接続され、
前記ＣＰは、ネットワーク探索命令を受信するように設定され、
前記ＣＰは、前記ネットワーク探索命令に基づいてネットワークを探索するようにさらに設定され、
前記ＣＰは、ＳＩＭカード状態変更情報及びネットワーク状態変更情報を前記ＡＰに送信するようにさらに設定され、
前記ＡＰは、前記ＳＩＭカード状態変更情報及び前記ネットワーク状態変更情報に基づいて、データ接続確立命令を前記ＣＰに送信するように設定され、
前記ＣＰは、前記データ接続確立命令に基づいて、見つけ出したネットワークへのデータ接続を確立するようにさらに設定される、
端末装置。
【請求項１８】
前記ＣＰがネットワークを探索した後に、前記ＣＰは、無線状態情報を前記ＡＰに送信するようにさらに設定され、前記無線状態情報は、前記ＣＰがネットワークを探索し始めたことを示すために使用される、請求項１６に記載の端末装置。
【請求項１９】
アプリケーションプロセッサ（ＡＰ）及び通信プロセッサ（ＣＰ）を含む端末装置であって、
前記ＡＰは、通信バスを使用することにより前記ＣＰに接続され、
前記ＡＰは、スイッチオン命令を受信するように設定され、
前記ＡＰは、加入者識別モジュール（ＳＩＭ）カードに関する情報から前記ＳＩＭカードのモバイル国コード（ＭＣＣ）及びモバイルネットワークコード（ＭＮＣ）を取得するようにさらに設定され、
前記ＡＰは、前記ＳＩＭカードに関する前記情報から、前記ＳＩＭカードのシリアル番号、現地の電話番号、音声メールボックス識別子、呼転送識別子、及びオペレータ名情報を取得するようにさらに設定され、
前記ＡＰは、前記ＭＣＣ及び前記ＭＮＣに基づいて、アクセスポイント名（ＡＰＮ）を作成するようにさらに設定され、ここで、前記ＡＰによって、前記ＳＩＭカードに関する前記情報から、前記ＳＩＭカードのシリアル番号、現地の電話番号、音声メールボックス識別子、呼転送識別子、及びオペレータ名情報を取得することと、前記ＡＰによって、前記ＭＣＣ及び前記ＭＮＣに基づいて前記ＡＰＮを作成こととが、並行して実行され、
前記ＡＰは、データ接続確立命令を前記ＣＰに送信するようにさらに設定され、それによって前記ＣＰは、前記ＡＰＮに基づいて見つけ出したネットワークへのデータ接続を確立する、
端末装置。
【請求項２０】
前記アプリケーションプロセッサ（ＡＰ）が前記スイッチオン命令を受信した後に、前記ＡＰは、ネットワーク探索命令を前記ＣＰに送信することであって、前記ネットワーク探索命令は、ネットワークを探索するよう前記ＣＰに命令するために使用される、送信することと、且つ前記ＣＰにより送信されたＳＩＭカード状態変更情報及びネットワーク状態変更情報を受信することとを行うようにさらに設定され、
前記ＡＰは、前記ＳＩＭカード状態変更情報に基づいて、前記ＳＩＭカードに関する前記情報を問い合わせるための命令を前記ＣＰに送信し、前記ＡＰによって、前記ＣＰにより送信された前記ＳＩＭカードに関する前記情報を受信し、且つ前記ＡＰによって、前記ＳＩＭカードに関する前記情報から前記ＳＩＭカードの前記ＭＣＣ及び前記ＭＮＣを取得するように特に設定され、
前記ＡＰは、前記ネットワーク状態変更情報に基づいて、前記ＣＰがデータサービス（ＰＳ）を成功裏に登録したと判定した後に、前記データ接続確立命令を前記ＣＰに送信するように特に設定される、請求項１９に記載の端末装置。
【手続補正２】
【補正対象書類名】明細書
【補正対象項目名】００６４
【補正方法】変更
【補正の内容】
【００６４】
本発明のこの実施形態では、ＳＩＭカードに関する情報からＭＣＣ及びＭＮＣに関する情報の読出しが完了した後に、ＡＰは、ＭＣＣ及びＭＮＣに基づいてＡＰＮを作成することに留意されたい。さらに、ＡＰは、ＳＩＭカードに関する情報内にあるＳＩＭカードのシリアル番号、現地の電話番号、音声メールボックス識別子、呼転送識別子、及びオペレータ名情報を読み出し続ける。従来技術とは異なり、ＡＰは、ＳＩＭカードに関する全ての情報の読出しが完了するのを待つ必要がなく、それによってＡＰＮが作成される時間が早められる。本発明のこの実施形態では、カードの読出し速度が最適化され、それによってＡＰＮが作成される時間及びＰＳが接続される時間が早められ、データ接続を形成する時間を短縮し、最終的に全体としてユーザがデータサービスの確立を待つ時間を短縮する。
【国際調査報告】
2019537854.tif 000012
2019537854.tif 000013
2019537854.tif 000014
2019537854.tif 000015